(57)【特許請求の範囲】
【請求項１】
コンテンツデータの処理を行う処理手段と、
上記処理手段によって処理されるコンテンツデータに対応する付加情報を取得する取得手段と、
上記取得手段により取得される付加情報を分析する分析手段と、
分析結果が記憶される記憶手段と、
上記記憶手段に記憶されている分析結果に基づいて、上記処理手段を制御する制御手段と、
を備え、
上記記憶手段には、上記分析手段による第１の分析結果と他に取得された付加情報の第２の分析結果とが記憶され、
上記処理手段で処理される当該コンテンツデータが上記第２の分析結果だけに関係するコンテンツデータであるか否かを判別し、該判別結果に基づいて、上記第１の分析結果と上記第２の分析結果とから新たな分析結果を作成して記憶されることを特徴とするコンテンツデータ処理装置。
【請求項２】
上記付加情報は、少なくともタイトル、人名およびジャンルのいずれかの項目内容を含む
ことを特徴とする請求項１に記載のコンテンツデータ処理装置。
【請求項３】
上記分析手段は、上記付加情報に含まれる少なくともタイトル、人名およびジャンルの何れかの項目内容の頻度分布を第１の分析結果として得る
ことを特徴とする請求項２に記載のコンテンツデータ処理装置。
【請求項４】
上記処理手段は、放送信号に含まれる放送のコンテンツデータより一のコンテンツデータを選択的に取得する受信処理部を有し、
上記分析手段は、上記受信処理部により得られるコンテンツデータに付加されている付加情報より抽出される少なくともタイトル、人名およびジャンルのいずれかの項目内容を用いて上記第１の頻度分布を作成する
ことを特徴とする請求項３に記載のコンテンツデータ処理装置。
【請求項５】
上記分析手段は、上記受信処理部で所定のコンテンツデータが選択されて所定時間が経過するまでの該受信処理部における選択切り換え回数に応じて、上記項目内容の頻度に重み付けをする
ことを特徴とする請求項４に記載のコンテンツデータ処理装置。
【請求項６】
上記処理手段は、
上記コンテンツデータを記録するための記録部と、
放送信号に含まれる複数の放送のコンテンツデータより一のコンテンツデータを選択的に取得する受信処理部と、
所定のコンテンツデータの記録予約をするための予約操作部と、
上記予約操作部で記録予約された上記所定のコンテンツデータの放送日時に、上記所定のコンテンツデータを取得するように上記受信処理部を制御すると共に、該所定のコンテンツデータを記録するように上記記録部を制御する制御部とを有し、
上記分析手段は、上記予約操作部で所定のコンテンツデータが記録予約されるとき、上記所定のコンテンツデータに対応する付加情報から抽出される少なくともタイトル、人名及びジャンルのいずれかの項目内容を用いて上記第１の頻度分布を作成する
ことを特徴とする請求項３に記載のコンテンツデータ処理装置。
【請求項７】
上記分析手段は、上記予約操作部で記録予約された所定のコンテンツデータの予約日に応じて、上記項目内容の頻度に重み付けをする
ことを特徴とする請求項６に記載のコンテンツデータ処理装置。
【請求項８】
上記処理手段は、所定のコンテンツデータを記録媒体から再生する再生部を有し、
上記分析手段は、上記再生部より出力される所定のコンテンツデータに付加されている付加情報より抽出される少なくともタイトル、人名及びジャンルのいずれかの項目内容を用いて上記第１の頻度分布を作成する
ことを特徴とする請求項３に記載のコンテンツデータ処理装置。
【請求項９】
上記再生部は、再生開始から再生終了までの再生期間に上記所定のコンテンツデータを再生すると共に、上記再生期間に早送りおよび巻き戻しが可能であり、
上記分析手段は、上記再生期間における上記記録媒体の再生開始位置から再生終了位置までの時間長と、上記再生期間における所定回の上記記録媒体の早送り開始から早送り終了までの累積時間と、上記再生期間における所定回の上記記録媒体の巻き戻し開始から巻き戻し終了までの累積時間とに応じて、上記項目内容の頻度に重み付けをする
ことを特徴とする請求項８に記載のコンテンツデータ処理装置。
【請求項１０】
上記処理手段は、上記コンテンツデータを表示素子に出力する出力部を有し、
上記制御手段は、上記記憶手段に記憶されている分析結果に基づいて、推奨すべき所定のコンテンツデータを決定し、該所定のコンテンツデータの情報を表示する表示信号を発生し、該表示信号を上記表示素子に出力するコンテンツデータに合成する
ことを特徴とする請求項１に記載のコンテンツデータ処理装置。
【請求項１１】
上記処理手段は、上記表示素子に情報が表示されているコンテンツデータのうち一のコンテンツデータを選択する選択部をさらに有し、
上記記憶手段は、
上記選択部で選択されるコンテンツデータが上記第２の分析結果だけに関係するコンテンツデータであるか否かを判別し、該判別結果に基づいて、上記第１の分析結果と上記第２の分析結果とから新たな分析結果を作成して記憶する
ことを特徴とする請求項１０に記載のコンテンツデータ処理装置。
【請求項１２】
上記第１の分析結果は上記処理手段によって処理されるコンテンツデータに対応する付加情報に含まれる少なくともタイトル、人名およびジャンルのいずれかの項目内容の頻度分布であり、上記第２の分析結果は他の処理手段によって処理されるコンテンツデータに対応する付加情報に含まれる少なくともタイトル、人名およびジャンルのいずれかの項目内容の頻度分布であり、
上記制御手段は、上記第１の頻度分布における所定項目の頻度分布から抽出された最大から所定順位までの頻度を有する項目内容に該当する第１のコンテンツデータおよび上記第２の頻度分布における上記所定項目の頻度分布から、上記第１の頻度分布にない項目内容のうち最大から所定順位までの頻度を有する項目内容に該当する第２のコンテンツデータを上記推奨すべきコンテンツデータとして決定し、
上記記憶手段は、上記選択部で選択されるコンテンツデータが上記第２のコンテンツデータに含まれているか否かを判別し、該判別結果に基づいて、上記第１の頻度分布と上記第２の頻度分布とから新たな頻度分布を作成して記憶する
ことを特徴とする請求項１１に記載のコンテンツデータ処理装置。
【請求項１３】
上記第２の頻度分布は、複数の上記他の処理手段によって処理されるコンテンツデータに対応する付加情報に含まれる少なくともタイトル、人名およびジャンルのいずれかの項目内容からそれぞれ作成された複数の頻度分布のうち、上記第１の頻度分布とのマッチング演算に基づいて求められたマッチ度が最も大きな頻度分布であり、
上記記憶手段は、上記選択部で選択されるコンテンツデータが上記第２のコンテンツデータに含まれていると判別する場合、上記第１の頻度分布に上記第２の頻度分布を加算して上記新たな頻度分布を作成する
ことを特徴とする請求項１２に記載のコンテンツデータ処理装置。
【請求項１４】
上記第２の頻度分布は、複数の上記他の処理手段によって処理されるコンテンツデータに対応する付加情報に含まれる少なくともタイトル、人名およびジャンルのいずれかの項目内容からそれぞれ作成された複数の頻度分布のうち、上記第１の頻度分布とのマッチング演算に基づいて求められたマッチ度が最も小さな頻度分布であり、
上記記憶手段は、上記選択部で選択されるコンテンツデータが上記第２のコンテンツデータに含まれていないと判別する場合、上記第１の頻度分布より上記第２の頻度分布にも存在する項目内容を除去して上記新たな頻度分布を作成する
ことを特徴とする請求項１２に記載のコンテンツデータ処理装置。
【請求項１５】
上記第２の頻度分布は、上記第１の頻度分布と複数の上記他の処理手段によって処理されるコンテンツデータに対応する付加情報に含まれる少なくともタイトル、人名およびジャンルのいずれかの項目内容からそれぞれ作成された１個または２個以上の頻度分布とを平均または加算して得られた頻度分布であり、
上記記憶手段は、上記選択部で選択されるコンテンツデータが上記第２のコンテンツデータに含まれていると判別する場合、上記第２の頻度分布を上記新たな頻度分布とする
ことを特徴とする請求項１２に記載のコンテンツデータ処理装置。
【請求項１６】
上記第２の頻度分布は、上記第１の頻度分布と複数の上記他の処理手段によって処理されるコンテンツデータに対応する付加情報に含まれる少なくともタイトル、人名およびジャンルのいずれかの項目内容からそれぞれ作成された１個または２個以上の頻度分布とを、上記第１の頻度分布とのマッチング演算に基づいて重み付けをして、平均または加算して得られた頻度分布であり、
上記記憶手段は、上記選択部で選択されるコンテンツデータが上記第２のコンテンツデータに含まれていると判別する場合、上記第２の頻度分布を上記新たな頻度分布とする
ことを特徴とする請求項１２に記載のコンテンツデータ処理装置。
【請求項１７】
上記処理手段は、
上記コンテンツデータを記録するための記録部と、
放送信号に含まれる複数の放送のコンテンツデータより一のコンテンツデータを選択的に取得する受信処理部とを有し、
上記制御手段は、上記記憶手段に記憶される分析結果に基づいて、記録予約すべき所定のコンテンツデータを決定し、該所定のコンテンツデータの放送日時に、上記受信処理部により該所定のコンテンツデータを取得し、該所定のコンテンツデータを上記記録部で記録するように制御する
ことを特徴とする請求項１に記載のコンテンツデータ処理装置。
【請求項１８】
上記処理手段は、上記記録部に記憶されている所定のコンテンツデータを再生する再生部をさらに有し、
上記記憶手段は、
上記再生部で再生されるコンテンツデータが上記第２の分析結果だけに関係するコンテンツデータであるか否かを判別し、該判別結果に基づいて、上記第１の分析結果と上記第２の分析結果とから新たな分析結果を作成して記憶する
ことを特徴とする請求項１７に記載のコンテンツデータ処理装置。
【請求項１９】
上記第１の分析結果は上記処理手段によって処理されるコンテンツデータに対応する付加情報に含まれる少なくともタイトル、人名およびジャンルのいずれかの項目内容の頻度分布であり、上記第２の分析結果は他の処理手段によって処理されるコンテンツデータに対応する付加情報に含まれる少なくともタイトル、人名およびジャンルのいずれかの項目内容の頻度分布であり、
上記制御手段は、
上記第１の頻度分布における所定項目の頻度分布から抽出された最大から所定順位までの頻度を有する項目内容に該当する第１のコンテンツデータおよび上記第２の頻度分布における上記所定項目の頻度分布から、上記第１の頻度分布にない項目内容のうち最大から所定順位までの頻度を有する項目内容に該当する第２のコンテンツデータを上記記録予約すべきコンテンツデータとして決定し、
上記記憶手段は、上記所定のコンテンツデータが上記第２のコンテンツデータに含まれているか否かを判別し、該判別結果に基づいて、上記第１の頻度分布と上記第２の頻度分布とから新たな頻度分布を作成して記憶する
ことを特徴とする請求項１８に記載のコンテンツデータ処理装置。
【請求項２０】
上記第２の頻度分布は、複数の上記他の処理手段によって処理されるコンテンツデータに対応する付加情報に含まれる少なくともタイトル、人名およびジャンルのいずれかの項目内容からそれぞれ作成された複数の頻度分布のうち、上記第１の頻度分布とのマッチング演算に基づいて求められたマッチ度が最も大きな頻度分布であり、
上記記憶手段は、上記再生部で再生されるコンテンツデータが上記第２のコンテンツデータに含まれていると判別する場合、上記第１の頻度分布に上記第２の頻度分布を加算して上記新たな頻度分布を作成する
ことを特徴とする請求項１９に記載のコンテンツデータ処理装置。
【請求項２１】
上記第２の頻度分布は、複数の上記他の処理手段によって処理されるコンテンツデータに対応する付加情報に含まれる少なくともタイトル、人名およびジャンルのいずれかの項目内容からそれぞれ作成された複数の頻度分布のうち、上記第１の頻度分布とのマッチング演算に基づいて求められたマッチ度が最も小さな頻度分布であり、
上記記憶手段は、上記再生部で再生されるコンテンツデータが上記第２のコンテンツデータに含まれていないと判別する場合、上記第１の頻度分布より上記第２の頻度分布にも存在する項目内容を除去して上記新たな頻度分布を作成する
ことを特徴とする請求項１９に記載のコンテンツデータ処理装置。
【請求項２２】
上記第２の頻度分布は、上記第１の頻度分布と複数の上記他の処理手段によって処理されるコンテンツデータに対応する付加情報に含まれる少なくともタイトル、人名およびジャンルのいずれかの項目内容からそれぞれ作成された１個または２個以上の頻度分布とを平均または加算して得られた頻度分布であり、
上記記憶手段は、上記再生部で再生されるコンテンツデータが上記第２のコンテンツデータに含まれていると判別する場合、上記第２の頻度分布を上記新たな頻度分布とする
ことを特徴とする請求項１９に記載のコンテンツデータ処理装置。
【請求項２３】
上記第２の頻度分布は、上記第１の頻度分布と複数の上記他の処理手段によって処理されるコンテンツデータに対応する付加情報に含まれる少なくともタイトル、人名およびジャンルのいずれかの項目内容からそれぞれ作成された１個または２個以上の頻度分布とを、上記第１の頻度分布とのマッチング演算に基づいて重み付けをして、平均または加算して得られた頻度分布であり、
上記記憶手段は、上記再生部で再生されるコンテンツデータが上記第２のコンテンツデータに含まれていると判別する場合、上記第２の頻度分布を上記新たな頻度分布とする
ことを特徴とする請求項１９に記載のコンテンツデータ処理装置。
【請求項２４】
上記記憶手段は、装脱可能なメモリ手段である
ことを特徴とする請求項１に記載のコンテンツデータ処理装置。
【請求項２５】
複数局からの信号が多重される放送信号を受信する受信部と、
上記受信部により受信される上記放送信号から一の信号を抽出するチューナ部と、
上記チューナ部により抽出される信号を復調して放送データを出力する復調部と、
上記復調部より出力される放送データを処理して画像データを得る処理部と、
上記処理部により得られる画像データを表示素子に出力する出力部と、
少なくともタイトル、人名およびジャンルのいずれかの項目内容の第１の頻度分布を作成する作成部と、
頻度分布が記憶される記憶部と、
予め設定された時刻であるか否かを判別する時刻判別部と、
上記時刻判別部により設定された時刻であると判別されたとき、上記記憶部に記憶される少なくともいずれかの項目の頻度分布に基づいて、最大から所定順位までの頻度の項目内容を抽出する項目内容抽出部と、
上記複数局からの信号に関連し、上記記憶部に記憶される頻度分布に対応する項目を有する番組表を記憶する番組表記憶部と、
上記項目内容抽出部により抽出される項目内容に該当する番組を上記番組表記憶部に記憶される番組表から検索する検索部と、
上記検索部により検索される番組に係る情報を表示するための表示信号を発生する発生部と、
上記発生部で発生される表示信号を上記処理部より得られる画像データに合成する合成部と
を備え、
上記記憶部には、上記作成部による第１の頻度分布と他に取得された第２の頻度分布とが記憶され、
上記処理部で処理される放送データが上記第２の頻度分布だけに関係する放送データであるか否かを判別し、該判別結果に基づいて、上記第１の頻度分布と上記第２の頻度分布とから新たな頻度分布を作成して記憶されることを特徴とする受信装置。
【請求項２６】
上記復調部より出力される放送データには付加情報が付加されており、
上記作成部は、上記付加情報より抽出される少なくともタイトル、人名およびジャンルのいずれかの項目内容を用いて上記第１の頻度分布を作成する
ことを特徴とする請求項２５に記載の受信装置。
【請求項２７】
上記作成部は、上記チューナ部で所定チャネルが選択されて所定時間が経過するまでの該チューナ部におけるチャネルの切り換え回数に応じて、上記項目内容の頻度に重み付けをする
ことを特徴とする請求項２６に記載の受信装置。
【請求項２８】
上記復調部より出力される放送データまたは上記処理部より出力される画像データを記録するための記録部と、
上記番組表記憶部に記憶されている番組表に基づいて、所定番組の録画予約をするための予約操作部と、
上記予約操作部で録画予約された所定番組の放送日時に、上記所定番組に係る信号を出力するように上記チューナ部を制御すると共に、該所定番組に係る放送データまたは画像データを記録するように上記記録部を制御する制御部とをさらに備え、
上記作成部は、上記予約操作部で上記所定番組が録画予約されるとき、上記番組表記憶部に記憶されている番組表から抽出される上記所定番組の少なくともタイトル、人名およびジャンルのいずれかの項目内容を用いて上記第１の頻度分布を作成する
ことを特徴とする請求項２５に記載の受信装置。
【請求項２９】
上記作成部は、上記予約操作部で録画予約された所定番組の予約日に応じて、上記項目内容の頻度に重み付けをする
ことを特徴とする請求項２８に記載の受信装置。
【請求項３０】
上記放送データに対応する所定コンテンツのデータを記録媒体から再生して出力するための再生部と、
上記再生部より出力されるデータを、上記復調部より出力される放送データに代えて上記処理部に供給する信号切り換え部とをさらに備え、
上記再生部より出力されるデータには付加情報が付加されており、
上記作成部は、上記付加情報より抽出される少なくともタイトル、人名およびジャンルのいずれかの項目内容を用いて上記第１の頻度分布を作成する
ことを特徴とする請求項２５に記載の受信装置。
【請求項３１】
上記再生部は、再生開始から再生終了までの再生期間に上記所定コンテンツのデータを再生すると共に、上記再生期間に早送りおよび巻き戻しが可能であり、
上記作成部は、上記再生期間における上記記録媒体の再生開始位置から再生終了位置までの時間長と、上記再生期間における所定回の上記記録媒体の早送り開始から早送り終了までの累積時間と、上記再生期間における所定回の上記記録媒体の巻き戻し開始から巻き戻し終了までの累積時間とに応じて、上記項目内容の頻度に重み付けをする
ことを特徴とする請求項３０に記載の受信装置。
【請求項３２】
上記第２の頻度分布に基づいて、上記第１の頻度分布にない項目内容のうち最大から所定順位までの頻度の項目内容を抽出する他頻度分布抽出部をさらに備え、
上記検索部は、さらに、上記他頻度分布抽出部により抽出される項目内容に該当する番組を上記番組表記憶部に記憶される番組表から検索する
ことを特徴とする請求項２５に記載の受信装置。
【請求項３３】
上記検索部で検索され、上記表示素子に番組情報が表示されている番組のうち一の番組を受信すべき番組として選択する選択部と、
上記選択部により選択された番組に係る画像データが上記処理部より得られるように上記チューナ部を制御する制御部と、
上記選択部で選択される番組が上記他頻度分布抽出部により抽出される項目内容に該当する番組であるか否かを判別する判別部とを備え、
上記判別部の判別結果に基づいて、上記記憶部に記憶されている上記第１の頻度分布と上記第２の頻度分布とから上記新たな頻度分布を頻度分布更新部で生成する
ことを特徴とする請求項３２に記載の受信装置。
【請求項３４】
上記第２の頻度分布は、上記作成部とは異なる作成部で作成された複数の頻度分布のうち、上記第１の頻度分布とのマッチング演算に基づいて求められたマッチ度が最も大きな頻度分布であり、
上記頻度分布更新部は、上記判別部により上記選択部で選択される番組が上記他頻度分布抽出部により抽出される項目内容に該当する番組であると判別される場合、上記第１の頻度分布に上記第２の頻度分布を加算して上記新たな頻度分布を作成する
ことを特徴とする請求項３３に記載の受信装置。
【請求項３５】
上記第２の頻度分布は、上記作成部とは異なる作成部で作成された複数の頻度分布のうち、上記第１の頻度分布とのマッチング演算に基づいて求められたマッチ度が最も小さな頻度分布であり、
上記頻度分布更新部は、上記判別部により上記選択部で選択される番組が上記他頻度分布抽出部により抽出される項目内容に該当しない番組であると判別される場合、上記第１の頻度分布より上記第２の頻度分布にも存在する項目内容を除去して上記新たな頻度分布を作成する
ことを特徴とする請求項３３に記載の受信装置。
【請求項３６】
上記第２の頻度分布は、上記第１の頻度分布と上記作成部とは異なる作成部で作成された１個または２個以上の頻度分布を平均または加算して得られた頻度分布であり、
上記頻度分布更新部は、上記判別部により上記選択部で選択される番組が上記他頻度分布抽出部により抽出される項目内容に該当する番組であると判別される場合、上記第２の頻度分布を上記新たな頻度分布とする
ことを特徴とする請求項３３に記載の受信装置。
【請求項３７】
上記第２の頻度分布は、上記第１の頻度分布と上記作成部とは異なる作成部で作成された１個または２個以上の頻度分布とを、上記第１の頻度分布とのマッチング演算に基づいて重み付けをして、平均または加算して得られた頻度分布であり、
上記頻度分布更新部は、上記判別部により上記選択部で選択される番組が上記他頻度分布抽出部により抽出される項目内容に該当する番組であると判別される場合、上記第２の頻度分布を上記新たな頻度分布とする
ことを特徴とする請求項３３に記載の受信装置。
【請求項３８】
上記検索部で検索され、上記表示素子に番組情報が表示されている番組のうち一の番組を予約録画すべき番組として選択する選択部と、
上記復調部より出力される放送データまたは上記処理部より出力される画像データを記録するための記録部と、
上記選択部で選択された番組の番組情報を一時的に記憶し、該番組の放送日時に該番組に係る放送データを上記復調部より得て上記放送データまたは上記画像データを上記記録部で記録する予約録画動作を実行する制御部と、
上記選択部で選択される番組が上記他頻度分布抽出部により抽出される項目内容に該当する番組であるか否かを判別する判別部とを備え、
上記判別部の判別結果に基づいて、上記記憶部に記憶されている上記第１の頻度分布と上記第２の頻度分布とから上記新たな頻度分布を頻度分布更新部で生成する
ことを特徴とする請求項３２に記載の受信装置。
【請求項３９】
上記第２の頻度分布は、上記作成部とは異なる作成部で作成された複数の頻度分布のうち、上記第１の頻度分布とのマッチング演算に基づいて求められたマッチ度が最も大きな頻度分布であり、
上記頻度分布更新部は、上記判別部により上記選択部で選択される番組が上記他頻度分布抽出部により抽出される項目内容に該当する番組であると判別される場合、上記第１の頻度分布に上記第２の頻度分布を加算して上記新たな頻度分布を作成する
ことを特徴とする請求項３８に記載の受信装置。
【請求項４０】
上記第２の頻度分布は、上記作成部とは異なる作成部で作成された複数の頻度分布のうち、上記第１の頻度分布とのマッチング演算に基づいて求められたマッチ度が最も小さな頻度分布であり、
上記頻度分布更新部は、上記判別部により上記選択部で選択される番組が上記他頻度分布抽出部により抽出される項目内容に該当しない番組であると判別される場合、上記第１の頻度分布より上記第２の頻度分布にも存在する項目内容を除去して上記新たな頻度分布を作成する
ことを特徴とする請求項３８に記載の受信装置。
【請求項４１】
上記第２の頻度分布は、上記第１の頻度分布と上記作成部とは異なる作成部で作成された１個または２個以上の頻度分布を平均または加算して得られた頻度分布であり、
上記頻度分布更新部は、上記判別部により上記選択部で選択される番組が上記他頻度分布抽出部により抽出される項目内容に該当する番組であると判別される場合、上記第２の頻度分布を上記新たな頻度分布とする
ことを特徴とする請求項３８に記載の受信装置。
【請求項４２】
上記第２の頻度分布は、上記第１の頻度分布と上記作成部とは異なる作成部で作成された１個または２個以上の頻度分布とを、上記第１の頻度分布とのマッチング演算に基づいて重み付けをして、平均または加算して得られた頻度分布であり、
上記頻度分布更新部は、上記判別部により上記選択部で選択される番組が上記他頻度分布抽出部により抽出される項目内容に該当する番組であると判別される場合、上記第２の頻度分布を上記新たな頻度分布とする
ことを特徴とする請求項３８に記載の受信装置。
【請求項４３】
上記記憶部は、装脱可能なメモリである
ことを特徴とする請求項２５に記載の受信装置。
【請求項４４】
複数局からの信号が多重される放送信号を受信する受信部と、
上記受信部により受信される上記放送信号から一の信号を抽出するチューナ部と、
上記チューナ部により抽出される信号を復調して放送データを出力する復調部と、
上記復調部より出力される放送データを処理して画像データを得る処理部と、
上記処理部により得られる画像データを出力する出力部と、
少なくともタイトル、人名およびジャンルのいずれかの項目内容の第１の頻度分布を作成する作成部と、
頻度分布が記憶される記憶部と、
予め設定された時刻であるか否かを判別する時刻判別部と、
上記時刻判別部により設定された時刻であると判別されたとき、上記記憶部に記憶される少なくともいずれかの項目の頻度分布に基づいて、最大から所定順位までの頻度の項目内容を抽出する項目内容抽出部と、
上記複数局からの信号に関連し、上記記憶部に記憶される頻度分布に対応する項目を有する番組表を記憶する番組表記憶部と、
上記項目内容抽出部により抽出される項目内容に該当する番組を上記番組表記憶部に記憶される番組表から検索する検索部と、
上記復調部より出力される放送データまたは上記処理部より出力される画像データを記録する記録部と、
上記検索部で検索された番組の番組情報を一時的に記憶し、該番組の放送日時に該番組に係る放送データを上記復調部より得て、上記放送データまたは上記画像データを上記記録部で記録する予約録画動作を実行する制御部と
を備え、
上記記憶部には、上記作成部による第１の頻度分布と他に取得された第２の頻度分布とが記憶され、
上記処理部で処理される放送データが上記第２の頻度分布だけに関係する放送データであるか否かを判別し、該判別結果に基づいて、上記第１の頻度分布と上記第２の頻度分布とから新たな頻度分布を作成して記憶されることを特徴とする受信装置。
【請求項４５】
上記復調部より出力される放送データには付加情報が付加されており、
上記作成部は、上記付加情報より抽出される少なくともタイトル、人名およびジャンルのいずれかの項目内容を用いて上記頻度分布を作成する
ことを特徴とする請求項４４に記載の受信装置。
【請求項４６】
上記作成部は、上記チューナ部で所定チャネルが選択されて所定時間が経過するまでの該チューナ部におけるチャネルの切り換え回数に応じて、上記項目内容の頻度に重み付けをする
ことを特徴とする請求項４５に記載の受信装置。
【請求項４７】
上記番組表記憶部に記憶されている番組表に基づいて、所定番組の録画予約をするための予約操作部と、
上記予約操作部で録画予約された所定番組の放送日時に、上記所定番組に係る信号を出力するように上記チューナ部を制御すると共に、該所定番組に係る放送データまたは画像データを記録するように上記記録部を制御する制御部とをさらに備え、
上記作成部は、上記予約操作部で上記所定番組が録画予約されるとき、上記番組表記憶部に記憶されている番組表から抽出される上記所定番組の少なくともタイトル、人名およびジャンルのいずれかの項目内容を用いて上記第１の頻度分布を作成する
ことを特徴とする請求項４４に記載の受信装置。
【請求項４８】
上記作成部は、上記予約操作部で録画予約された所定番組の予約日に応じて、上記項目内容の頻度に重み付けをする
ことを特徴とする請求項４７に記載の受信装置。
【請求項４９】
上記放送データに対応する所定コンテンツのデータを記録媒体から再生して出力するための再生部と、
上記再生部より出力されるデータを、上記復調部より出力される放送データに代えて上記処理部に供給する信号切り換え部とをさらに備え、
上記再生部より出力されるデータには付加情報が付加されており、
上記作成部は、上記付加情報より抽出される少なくともタイトル、人名およびジャンルのいずれかの項目内容を用いて上記第１の頻度分布を作成する
ことを特徴とする請求項４４に記載の受信装置。
【請求項５０】
上記再生部は、再生開始から再生終了までの再生期間に上記所定コンテンツのデータを再生すると共に、上記再生期間に早送りおよび巻き戻しが可能であり、
上記作成部は、上記再生期間における上記記録媒体の再生開始位置から再生終了位置までの時間長と、上記再生期間における所定回の上記記録媒体の早送り開始から早送り終了までの累積時間と、上記再生期間における所定回の上記記録媒体の巻き戻し開始から巻き戻し終了までの累積時間とに応じて、上記項目内容の頻度に重み付けをする
ことを特徴とする請求項４９に記載の受信装置。
【請求項５１】
上記第２の頻度分布に基づいて、上記第１の頻度分布にない項目内容のうち最大から所定順位までの頻度の項目内容を抽出する他頻度分布抽出部をさらに備え、
上記検索部は、さらに、上記他頻度分布抽出部により抽出される項目内容に該当する番組を上記番組表記憶部に記憶される番組表から検索する
ことを特徴とする請求項４４に記載の受信装置。
【請求項５２】
上記記憶部に記憶されている所定番組に係る放送データを再生して上記処理部または上記出力部に供給する再生部と、
上記所定番組が上記他頻度分布抽出部により抽出される項目内容に該当する番組であるか否かを判別する判別部とを備え、
上記判別部の判別結果に基づいて、上記記憶部に記憶されている上記第１の頻度分布と上記第２の頻度分布とから上記新たな頻度分布を頻度分布更新部で生成する
ことを特徴とする請求項５１に記載の受信装置。
【請求項５３】
上記第２の頻度分布は、上記作成部とは異なる作成部で作成された複数の頻度分布のうち、上記第１の頻度分布とのマッチング演算に基づいて求められたマッチ度が最も大きな頻度分布であり、
上記頻度分布更新部は、上記所定番組が上記他頻度分布抽出部により抽出される項目内容に該当する番組であると判別される場合、上記第１の頻度分布に上記第２の頻度分布を加算して上記新たな頻度分布を作成する
ことを特徴とする請求項５２に記載の受信装置。
【請求項５４】
上記第２の頻度分布は、上記作成部とは異なる作成部で作成された複数の頻度分布のうち、上記第１の頻度分布とのマッチング演算に基づいて求められたマッチ度が最も小さな頻度分布であり、
上記頻度分布更新部は、上記所定番組が上記他頻度分布抽出部により抽出される項目内容に該当しない番組であると判別される場合、上記第１の頻度分布より上記第２の頻度分布にも存在する項目内容を除去して上記新たな頻度分布を作成する
ことを特徴とする請求項５２に記載の受信装置。
【請求項５５】
上記第２の頻度分布は、上記第１の頻度分布と上記作成部とは異なる作成部で作成された１個または２個以上の頻度分布を平均または加算して得られた頻度分布であり、
上記頻度分布更新部は、上記所定番組が上記他頻度分布抽出部により抽出される項目内容に該当する番組であると判別される場合、上記第２の頻度分布を上記新たな頻度分布とする
ことを特徴とする請求項５２に記載の受信装置。
【請求項５６】
上記第２の頻度分布は、上記第１の頻度分布と上記作成部とは異なる作成部で作成された１個または２個以上の頻度分布とを、上記第１の頻度分布とのマッチング演算に基づいて重み付けをして、平均または加算して得られた頻度分布であり、
上記頻度分布更新部は、上記所定番組が上記他頻度分布抽出部により抽出される項目内容に該当する番組であると判別される場合、上記第２の頻度分布を上記新たな頻度分布とする
ことを特徴とする請求項５２に記載の受信装置。
【請求項５７】
上記記憶部は、装脱可能なメモリである
ことを特徴とする請求項４４に記載の受信装置。
【請求項５８】
コンテンツデータを処理する際に用いられる分析結果を生成する情報処理装置であって、
第１のメモリに記憶されている第１の分析結果と、複数個の第２のメモリにそれぞれ記憶されている複数の第２の分析結果とのマッチング演算を行ってマッチ度情報を得る演算部と、
上記演算部により得られるマッチ度情報に基づき、上記複数の第２の分析結果のうち最もマッチ度の高い第２の分析結果を選択する選択部と、
上記第１のメモリあるいは該第１のメモリとは異なるメモリに、上記第１の分析結果および上記選択部で選択された第２の分析結果が記憶されるように制御する制御部とを備え、
上記制御部は、
上記コンテンツデータが上記第２の分析結果だけに関係するコンテンツデータであるか否かを判別し、該判別結果に基づいて、上記第１の分析結果と上記第２の分析結果とから新たな分析結果を作成して記憶することを特徴とする情報処理装置。
【請求項５９】
コンテンツデータを処理する際に用いられる分析結果を生成する情報処理装置であって、
第１のメモリに記憶されている第１の分析結果と、複数個の第２のメモリにそれぞれ記憶されている複数の第２の分析結果とのマッチング演算を行ってマッチ度情報を得る演算部と、
上記演算部により得られるマッチ度情報に基づき、上記複数の第２の分析結果のうち最もマッチ度の低い第２の分析結果を選択する選択部と、
上記第１のメモリあるいは該第１のメモリとは異なるメモリに、上記第１の分析結果および上記選択部で選択された第２の分析結果が記憶されるように制御する制御部とを備え、
上記制御部は、
上記コンテンツデータが上記第２の分析結果だけに関係するコンテンツデータであるか否かを判別し、該判別結果に基づいて、上記第１の分析結果と上記第２の分析結果とから新たな分析結果を作成して記憶することを特徴とする情報処理装置。
【請求項６０】
コンテンツデータを処理する際に用いられる分析結果を生成する情報処理装置であって、
第１のメモリに記憶されている第１の分析結果および１個または２個以上の第２のメモリにそれぞれ記憶されている１個または２個以上の第２の分析結果の平均または加算の演算を行って第３の分析結果を得る演算部と、
上記第１のメモリあるいは該第１のメモリとは異なるメモリに、上記第１の分析結果および上記演算部により得られる第３の分析結果が記憶されるように制御する制御部とを備え、
上記制御部は、
上記コンテンツデータが上記第２の分析結果だけに関係するコンテンツデータであるか否かを判別し、該判別結果に基づいて、上記第１の分析結果と上記第２の分析結果とから新たな分析結果を作成して記憶することを特徴とする情報処理装置。
【請求項６１】
コンテンツデータを処理する際に用いられる分析結果を生成する情報処理装置であって、
第１のメモリに記憶されている第１の分析結果と、該第１の分析結果および１個または２個以上の第２のメモリにそれぞれ記憶されている１個または２個以上の第２の分析結果とのマッチング演算を行ってマッチ度情報を得る第１の演算部と、
上記第１の分析結果および上記１個または２個以上の第２の分析結果の平均または加算の演算を、上記第１の演算部により得られるマッチ度情報に基づいて重み付けをしていって第３の分析結果を得る第２の演算部と、
上記第１のメモリあるいは該第１のメモリとは異なるメモリに、上記第１の分析結果および上記第２の演算部により得られる第３の分析結果が記憶されるように制御する制御部とを備え、
上記制御部は、
上記コンテンツデータが上記第２の分析結果だけに関係するコンテンツデータであるか否かを判別し、該判別結果に基づいて、上記第１の分析結果と上記第２の分析結果とから新たな分析結果を作成して記憶することを特徴とする情報処理装置。
【請求項６２】
コンテンツデータの処理を行う処理ステップと、
上記処理ステップによって処理されるコンテンツデータに対応する付加情報を取得する取得ステップと、
上記取得ステップにより取得される付加情報を分析する分析ステップと、
分析結果を記憶装置に記憶する記憶ステップと、
上記記憶装置に記憶されている分析結果に基づいて、上記処理ステップの処理を制御する制御ステップとを備え、
上記記憶ステップでは、上記分析ステップでの第１の分析結果と他に取得された付加情報の第２の分析結果とが記憶され、
上記処理ステップで処理されるコンテンツデータが上記第２の分析結果だけに関係するコンテンツデータであるか否かを判別し、該判別結果に基づいて、上記第１の分析結果と上記第２の分析結果とから新たな分析結果を作成して記憶することを特徴とするコンテンツデータ処理方法。
【請求項６３】
複数局からの信号が多重される放送信号を受信するステップと、
上記受信される放送信号から一の信号を抽出するステップと、
上記抽出される信号を復調して放送データを出力するステップと、
上記出力される放送データを処理して画像データを得るステップと、
上記得られる画像データを表示素子に出力するステップと、
少なくともタイトル、人名およびジャンルのいずれかの項目内容の第１の頻度分布を作成するステップと、
頻度分布を記憶部に記憶するステップと、
予め設定された時刻であるか否かを判別するステップと、
上記設定された時刻であると判別されたとき、上記記憶部に記憶される少なくともいずれかの項目の頻度分布に基づいて、最大から所定順位までの頻度の項目内容を抽出するステップと、
上記抽出される項目内容に該当する番組を番組表から検索するステップと、
上記検索される番組に係る情報を表示するための表示信号を発生するステップと、
上記発生される表示信号を上記画像データに合成するステップとを備え、
上記記憶するステップでは、上記作成するステップでの第１の頻度分布と他に取得された第２の頻度分布とが記憶され、
上記画像データを得るステップで処理される放送データが上記第２の頻度分布だけに関係する放送データであるか否かを判別し、該判別結果に基づいて、上記第１の頻度分布と上記第２の頻度分布とから新たな分析結果を作成して記憶することを特徴とする受信方法。
【請求項６４】
複数局からの信号が多重される放送信号を受信するステップと、
上記受信される上記放送信号から一の信号を抽出するステップと、
上記抽出される信号を復調して放送データを出力するステップと、
上記出力される放送データを処理して画像データを得るステップと、
上記得られる画像データを出力するステップと、
少なくともタイトル、人名およびジャンルのいずれかの項目内容の第１の頻度分布を作成するステップと、
頻度分布を記憶部に記憶するステップと、
予め設定された時刻であるか否かを判別するステップと、
上記設定された時刻であると判別されたとき、上記記憶部に記憶される少なくともいずれかの項目の頻度分布に基づいて、最大から所定順位までの頻度の項目内容を抽出するステップと、
上記抽出される項目内容に該当する番組を番組表から検索するステップと、
上記検索された番組の番組情報を一時的に記憶し、該番組の放送日時に該番組に係る上記放送データまたは上記画像データを記録部に記録するステップとを備え、
上記記憶するステップでは、上記作成するステップでの第１の頻度分布と他に取得された第２の頻度分布とが記憶され、
上記画像データを得るステップで処理される放送データが上記第２の頻度分布だけに関係する放送データであるか否かを判別し、該判別結果に基づいて、上記第１の頻度分布と上記第２の頻度分布とから新たな頻度分布を作成して記憶することを特徴とする受信方法。
【請求項６５】
コンテンツデータの処理を行う処理ステップと、
上記処理ステップによって処理されるコンテンツデータに対応する付加情報を取得する取得ステップと、
上記取得ステップにより取得される付加情報を分析する分析ステップと、
分析結果を記憶装置に記憶する記憶ステップと、
上記記憶装置に記憶されている分析結果に基づいて、上記処理ステップの処理を制御する制御ステップとを備え、
上記記憶ステップでは、上記分析ステップでの第１の分析結果と他に取得された付加情報の第２の分析結果とが記憶され、
上記処理ステップで処理されるコンテンツデータが上記第２の分析結果だけに関係するコンテンツデータであるか否かを判別し、該判別結果に基づいて、上記第１の分析結果と上記第２の分析結果とから新たな分析結果を作成して記憶するコンテンツデータ処理方法をコンピュータに実行させるためのプログラムを記録したコンピュータ読み取り可能な媒体。
【請求項６６】
複数局からの信号が多重される放送信号を受信するステップと、
上記受信される放送信号から一の信号を抽出するステップと、
上記抽出される信号を復調して放送データを出力するステップと、
上記出力される放送データを処理して画像データを得るステップと、
上記得られる画像データを表示素子に出力するステップと、
少なくともタイトル、人名およびジャンルのいずれかの項目内容の第１の頻度分布を作成するステップと、
頻度分布を記憶部に記憶するステップと、
予め設定された時刻であるか否かを判別するステップと、
上記設定された時刻であると判別されたとき、上記記憶部に記憶される少なくともいずれかの項目の頻度分布に基づいて、最大から所定順位までの頻度の項目内容を抽出するステップと、
上記抽出される項目内容に該当する番組を番組表から検索するステップと、
上記検索される番組に係る情報を表示するための表示信号を発生するステップと、
上記発生される表示信号を上記画像データに合成するステップとを備え、
上記記憶するステップでは、上記作成するステップでの第１の頻度分布と他に取得された第２の頻度分布とが記憶され、
上記画像データを得るステップで処理される放送データが上記第２の頻度分布だけに関係する放送データであるか否かを判別し、該判別結果に基づいて、上記第１の頻度分布と上記第２の頻度分布とから新たな頻度分布を作成して記憶される受信方法をコンピュータに実行させるためのプログラムを記録したコンピュータ読み取り可能な媒体。
【請求項６７】
複数局からの信号が多重される放送信号を受信するステップと、
上記受信される上記放送信号から一の信号を抽出するステップと、
上記抽出される信号を復調して放送データを出力するステップと、
上記出力される放送データを処理して画像データを得るステップと、
上記得られる画像データを出力するステップと、
少なくともタイトル、人名およびジャンルのいずれかの項目内容の第１の頻度分布を作成するステップと、
頻度分布を記憶部に記憶するステップと、
予め設定された時刻であるか否かを判別するステップと、
上記設定された時刻であると判別されたとき、上記記憶部に記憶される少なくともいずれかの項目の頻度分布に基づいて、最大から所定順位までの頻度の項目内容を抽出するステップと、
上記抽出される項目内容に該当する番組を番組表から検索するステップと、
上記検索された番組の番組情報を一時的に記憶し、該番組の放送日時に該番組に係る上記放送データまたは上記画像データを記録部に記録するステップとを備え、
上記記憶するステップでは、上記作成するステップでの第１の頻度分布と他に取得された第２の頻度分布とが記憶され、
上記画像データを得るステップで処理される放送データが上記第２の頻度分布だけに関係する放送データであるか否かを判別し、該判別結果に基づいて、上記第１の頻度分布と上記第２の頻度分布とから新たな頻度分布を作成して記憶される受信方法をコンピュータに実行させるためのプログラムを記録したコンピュータ読み取り可能な媒体。
【請求項６８】
コンテンツデータの処理を行う処理ステップと、
上記処理ステップによって処理されるコンテンツデータに対応する付加情報を取得する取得ステップと、
上記取得ステップにより取得される付加情報を分析する分析ステップと、
分析結果を記憶装置に記憶する記憶ステップと、
上記記憶装置に記憶されている分析結果に基づいて、上記処理ステップの処理を制御する制御ステップとを備え、
上記記憶ステップでは上記分析ステップでの第１の分析結果と他に取得された付加情報の第２の分析結果とが記憶され、
上記処理ステップで処理されるコンテンツデータが上記第２の分析結果だけに関係するコンテンツデータであるか否かを判別し、該判別結果に基づいて、上記第１の分析結果と上記第２の分析結果とから新たな分析結果を作成して記憶するコンテンツデータ処理方法をコンピュータに実行させるためのプログラム。
【請求項６９】
複数局からの信号が多重される放送信号を受信するステップと、
上記受信される放送信号から一の信号を抽出するステップと、
上記抽出される信号を復調して放送データを出力するステップと、
上記出力される放送データを処理して画像データを得るステップと、
上記得られる画像データを表示素子に出力するステップと、
少なくともタイトル、人名およびジャンルのいずれかの項目内容の第１の頻度分布を作成するステップと、
頻度分布を記憶部に記憶するステップと、
予め設定された時刻であるか否かを判別するステップと、
上記設定された時刻であると判別されたとき、上記記憶部に記憶される少なくともいずれかの項目の頻度分布に基づいて、最大から所定順位までの頻度の項目内容を抽出するステップと、
上記抽出される項目内容に該当する番組を番組表から検索するステップと、
上記検索される番組に係る情報を表示するための表示信号を発生するステップと、
上記発生される表示信号を上記画像データに合成するステップとを備え、
上記記憶するステップでは、上記画像を得るステップでの第１の頻度分布と他に取得された第２の頻度分布とが記憶され、
上記画像データを得るステップで処理される放送データが上記第２の頻度分布だけに関係する放送データであるか否かを判別し、該判別結果に基づいて、上記第１の頻度分布と上記第２の頻度分布とから新たな頻度分布を作成して記憶される受信方法をコンピュータに実行させるためのプログラム。
【請求項７０】
複数局からの信号が多重される放送信号を受信するステップと、
上記受信される上記放送信号から一の信号を抽出するステップと、
上記抽出される信号を復調して放送データを出力するステップと、
上記出力される放送データを処理して画像データを得るステップと、
上記得られる画像データを出力するステップと、
少なくともタイトル、人名およびジャンルのいずれかの項目内容の第１の頻度分布を作成するステップと、
頻度分布を記憶部に記憶するステップと、
予め設定された時刻であるか否かを判別するステップと、
上記設定された時刻であると判別されたとき、上記記憶部に記憶される少なくともいずれかの項目の頻度分布に基づいて、最大から所定順位までの頻度の項目内容を抽出するステップと、
上記抽出される項目内容に該当する番組を番組表から検索するステップと、
上記検索された番組の番組情報を一時的に記憶し、該番組の放送日時に該番組に係る上記放送データまたは上記画像データを記録部に記録するステップとを備え、
上記記憶するステップでは、上記作成するステップでの第１の頻度分布と他に取得された第２の頻度分布とが記憶され、
上記画像データを得るステップで処理される放送データが上記第２の頻度分布だけに関係する放送データであるか否かを判別し、該判別結果に基づいて、上記第１の頻度分布と上記第２の頻度分布とから新たな頻度分布を作成して記憶される受信方法をコンピュータに実行させるためのプログラム。
【発明の詳細な説明】
【０００１】
【発明の属する技術分野】
この発明は、コンテンツデータの処理装置および処理方法、受信装置および受信方法、情報処理装置、並びに各方法を実行するためのプログラムおよびそのプログラムを記録したコンピュータ読み取り可能な媒体に関する。詳しくは、コンテンツデータの処理を行う処理手段によって処理されるコンテンツデータに対応する付加情報の分析結果に基づいて処理手段を制御することによって、ユーザの嗜好に合わせた処理が可能となるようにしたコンテンツデータ処理装置等に係るものである。
【０００２】
【従来の技術】
従来、例えばＶＴＲ(Video Tape Recorder)等の記録機を使用した放送番組の記録予約は、ユーザが、新聞やＥＰＧ(Electronic Program Guide)による番組表を参照して所望の番組を見つけ、記録機に対して当該番組の予約操作を行うことで行われる。
【０００３】
【発明が解決しようとする課題】
上述した従来の記録予約では、ユーザが予約操作をしない番組は、記録されないことになる。つまり、ユーザの嗜好に合う番組があったとしても、ユーザが番組表からその番組を見つけることができなければ、記録予約を行うことができない。この場合、ユーザの嗜好に合う番組があった場合には、自動的に予約されて記録されていれば便利である。あるいは、ユーザの嗜好に合う番組があった場合、ユーザにその番組をレコメンドしてくれれば便利である。
この発明の目的は、ユーザの嗜好に合わせた処理が可能となるようにしたコンテンツデータ処理装置等を提供することにある。
【０００４】
【課題を解決するための手段】
この発明に係るコンテンツデータ処理装置は、コンテンツデータの処理を行う処理手段と、この処理手段によって処理されるコンテンツデータに対応する付加情報を取得する取得手段と、この取得手段により取得される付加情報を分析する分析手段と、この分析手段による分析結果が記憶される記憶手段と、この記憶手段に記憶されている分析結果に基づいて処理手段を制御する制御手段とを備えるものである。
【０００５】
また、この発明に係るコンテンツデータ処理方法は、コンテンツデータの処理を行う処理ステップと、この処理ステップによって処理されるコンテンツデータに対応する付加情報を取得する取得ステップと、この取得ステップにより取得される付加情報を分析する分析ステップと、この分析ステップによる分析結果を記憶装置に記憶する記憶ステップと、記憶装置に記憶されている分析結果に基づいて、処理ステップの処理を制御する制御ステップとを備えるものである。
【０００６】
また、この発明に係る受信装置は、複数局からの信号が多重される放送信号を受信する受信部と、この受信部により受信される放送信号から一の信号を抽出するチューナ部と、このチューナ部により抽出される信号を復調して放送データを出力する復調部と、この復調部より出力される放送データを処理して画像データを得る処理部と、この処理部により得られる画像データを表示素子に出力する出力部と、少なくともタイトル、人名およびジャンルのいずれかの項目内容の頻度分布を作成する作成部と、この作成部で作成される頻度分布が記憶される記憶部と、予め設定された時刻であるか否かを判別する時刻判別部と、この時刻判別部により設定された時刻であると判別されたとき、記憶部に記憶される少なくともいずれかの項目の頻度分布に基づいて、最大から所定順位までの頻度の項目内容を抽出する項目内容抽出部と、複数局からの信号に関連し、記憶部に記憶される頻度分布に対応する項目を有する番組表を記憶する番組表記憶部と、項目内容抽出部により抽出される項目内容に該当する番組を番組表記憶部に記憶される番組表から検索する検索部と、この検索部により検索される番組に係る情報を表示するための表示信号を発生する発生部と、この発生部で発生される表示信号を処理部より得られる画像データに合成する合成部とを備えるものである。
【０００７】
この発明に係る受信方法は、複数局からの信号が多重される放送信号を受信するステップと、受信される放送信号から一の信号を抽出するステップと、抽出される信号を復調して放送データを出力するステップと、出力される放送データを処理して画像データを得るステップと、得られる画像データを表示素子に出力するステップと、少なくともタイトル、人名およびジャンルのいずれかの項目内容の頻度分布を作成するステップと、作成される頻度分布を記憶部に記憶するステップと、予め設定された時刻であるか否かを判別するステップと、設定された時刻であると判別されたとき、記憶部に記憶される少なくともいずれかの項目の頻度分布に基づいて、最大から所定順位までの頻度の項目内容を抽出するステップと、抽出される項目内容に該当する番組を番組表から検索するステップと、検索される番組に係る情報を表示するための表示信号を発生するステップと、発生される表示信号を画像データに合成するステップとを備えるものである。
【０００８】
また、この発明に係る受信装置は、複数局からの信号が多重される放送信号を受信する受信部と、この受信部により受信される放送信号から一の信号を抽出するチューナ部と、このチューナ部により抽出される信号を復調して放送データを出力する復調部と、この復調部より出力される放送データを処理して画像データを得る処理部と、この処理部により得られる画像データを出力する出力部と、少なくともタイトル、人名およびジャンルのいずれかの項目内容の頻度分布を作成する作成部と、この作成部で作成される頻度分布が記憶される記憶部と、予め設定された時刻であるか否かを判別する時刻判別部と、この時刻判別部により設定された時刻であると判別されたとき、記憶部に記憶される少なくともいずれかの項目の頻度分布に基づいて、最大から所定順位までの頻度の項目内容を抽出する項目内容抽出部と、複数局からの信号に関連し、記憶部に記憶される頻度分布に対応する項目を有する番組表を記憶する番組表記憶部と、項目内容抽出部により抽出される項目内容に該当する番組を番組表記憶部に記憶される番組表から検索する検索部と、復調部より出力される放送データまたは上記処理部より出力される画像データを記録する記録部と、検索部で検索された番組の番組情報を一時的に記憶し、この番組の放送日時に該番組に係る放送データを復調部より得て、放送データまたは画像データを記録部で記録する予約録画動作を実行する制御部とを備えるものである。
【０００９】
また、この発明に係る受信方法は、複数局からの信号が多重される放送信号を受信するステップと、受信される放送信号から一の信号を抽出するステップと、抽出される信号を復調して放送データを出力するステップと、出力される放送データを処理して画像データを得るステップと、得られる画像データを出力するステップと、少なくともタイトル、人名およびジャンルのいずれかの項目内容の頻度分布を作成するステップと、作成される頻度分布を記憶部に記憶するステップと、予め設定された時刻であるか否かを判別するステップと、設定された時刻であると判別されたとき、記憶部に記憶される少なくともいずれかの項目の頻度分布に基づいて、最大から所定順位までの頻度の項目内容を抽出するステップと、抽出される項目内容に該当する番組を番組表から検索するステップと、検索された番組の番組情報を一時的に記憶し、この番組の放送日時に該番組に係る放送データまたは画像データを記録部に記録するステップを備えるものである。
【００１０】
また、この発明に係るプログラムは、上述の各方法をコンピュータに実行させるためのものである。また、この発明に係るコンピュータ読み取り可能な媒体は、上述のプログラムを記録したものである。
【００１１】
この発明においては、処理手段でコンテンツデータの処理が行われる。処理手段では、例えば、放送信号に含まれるコンテンツデータより一のコンテンツデータを選択的に取得する受信処理、この受信処理で得られるコンテンツデータを記録する処理、記録媒体から所定のコンテンツデータを再生する処理等が行われる。
【００１２】
取得手段により、処理手段によって処理されるコンテンツデータに対応する付加情報が取得される。そして、分析手段により、例えば、付加情報に含まれる少なくともタイトル、人名およびジャンルのいずれかの項目内容の頻度分布が分析結果として得られる。
【００１３】
例えば、分析手段では、放送信号に含まれるコンテンツデータより選択的に取得された一のコンテンツデータに付加されている付加情報より抽出される少なくともタイトル、人名およびジャンルのいずれかの項目内容を用いて頻度分布が作成される。この場合例えば、受信処理部で所定のコンテンツデータが選択されて所定時間が経過するまでの当該受信処理部における選択切り換え回数（チャネル切り換え回数）に応じて、項目内容の頻度に重み付けが行われる。
【００１４】
また例えば、分析手段では、記録予約が行われる所定のコンテンツデータに対応する付加情報から抽出される少なくともタイトル、人名およびジャンルのいずれかの項目内容を用いて頻度分布が作成される。この場合例えば、予約操作部で記録予約された所定のコンテンツデータの予約日に応じて、項目内容の頻度に重み付けが行われる。
【００１５】
また例えば、分析手段では、記録媒体から再生された所定のコンテンツデータに付加されている付加情報より抽出される少なくともタイトル、人名およびジャンルのいずれかの項目内容を用いて頻度分布が作成される。この場合例えば、再生期間における記録媒体の再生開始位置から再生終了位置までの時間長と、再生期間における所定回の記録媒体の早送り開始から早送り終了までの累積時間と、再生期間における所定回の記録媒体の巻き戻し開始から巻き戻し終了までの累積時間とに応じて、項目内容の頻度に重み付けが行われる。
【００１６】
そして、記憶手段（記憶装置）に記憶されている分析結果に基づいて、処理手段が制御される。例えば、処理手段は、受信処理部で取得されたコンテンツデータ、あるいは記録媒体から選択的に再生されたコンテンツデータ等を表示素子に出力する出力部を有しており、制御手段は、記憶手段に記憶されている分析結果に基づいて、推奨すべき所定のコンテンツデータを決定し、この所定のコンテンツデータの情報を表示する表示信号を発生し、この表示信号を上述の表示素子に出力するコンテンツデータに合成する。
【００１７】
また例えば、処理手段は、コンテンツデータを記録する記録部を有し、制御手段は、記憶手段に記憶されている分析結果に基づいて、記録予約すべき所定のコンテンツデータを決定し、この所定のコンテンツデータの放送日時に、受信処理部により所定のコンテンツデータを取得し、この所定のコンテンツデータを記録部で記録するように制御する。
【００１８】
このように、処理手段によって処理されるコンテンツデータに対応する付加情報を取得し、この付加情報の分析結果に基づいて処理手段を制御する構成とすることによって、ユーザの嗜好に合わせた処理が可能となる。また、頻度分布を作成する際に上述のように重み付けを行うことにより、記憶手段（記憶装置）に記憶される頻度分布の情報を、よりユーザの好みを反映させたものとすることが可能となる。
【００１９】
なお、記憶手段は、分析手段により分析されて得られた第１の分析結果と共に、他の処理手段によって処理されるコンテンツデータに対応する付加情報を分析して得られた第２の分析結果を記憶し、制御手段は、この第１の分析結果および第２の分析結果に基づいて、処理手段を制御してもよい。また、記憶手段は、処理手段によって処理されるコンテンツデータに対応する付加情報を分析した分析結果に代えて、この分析結果と他の処理手段によって処理されるコンテンツデータに対応する付加情報を分析した分析結果とに基づいて生成された新たな分析結果を記憶し、制御手段は、この新たな分析結果に基づいて、処理手段を制御してもよい。
【００２０】
このように、第１の分析結果および第２の分析結果、あるいは新たな分析結果に基づいて処理手段を制御する構成とすることによって、他の処理手段によって処理されるコンテンツデータに対応する付加情報の分析結果を有効に利用することが可能となる。
【００２１】
また、処理手段は、表示素子に推奨すべきコンテンツデータとしてその情報が表示されているコンテンツデータのうち一のコンテンツデータを選択する選択部を有し、記憶手段は、上述したように第１の分析結果および第２の分析結果が記憶されているとき、選択部で選択されるコンテンツデータが第２の分析結果だけに関係するコンテンツデータであるか否かを判別し、この判別結果に基づいて、第１の分析結果と第２の分析結果とから新たな分析結果を作成して記憶してもよい。
【００２２】
また、処理手段は、記録予約すべきコンテンツデータとして決定され、そのコンテンツデータが記録されている記録部から所定のコンテンツデータを再生する再生部を有し、記憶手段は、上述したように第１の分析結果および第２の分析結果が記憶されているとき、再生部で再生されるコンテンツデータが第２の分析結果だけに関係するコンテンツデータであるか否かを判別し、この判別結果に基づいて、第１の分析結果と第２の分析結果とから新たな分析結果を作成して記憶してもよい。
【００２３】
このように第１の分析結果と第２の分析結果とから新たな分析結果を作成して記憶することにより、記憶手段に、ユーザの好みに対応した頻度分布の情報が格納された状態をより早く実現することが可能となる。
【００２４】
また、分析結果が記憶される記憶手段を装脱可能なメモリ手段とすることで、この記憶手段に他の分析結果をさらに格納したり、この記憶手段に格納された分析結果を他のコンテンツデータ処理装置（受信装置）で利用することが容易となる。
【００２５】
また例えば、分析手段による分析結果が記憶される記憶手段（記憶装置）の内容が他の記憶手段に移される場合等にあっては、制御手段は、当該他の記憶手段に格納される分析結果に基づいて、処理手段を同様に制御できる。
【００２６】
また、この発明に係る情報処理装置は、第１のメモリに記憶されている第１の分析結果と、複数個の第２のメモリにそれぞれ記憶されている複数の第２の分析結果とのマッチング演算を行ってマッチ度情報を得る演算部と、この演算部により得られるマッチ度情報に基づき、複数の第２の分析結果のうち最もマッチ度の高い第２の分析結果を選択する選択部と、第１のメモリあるいはこの第１のメモリとは異なるメモリに、第１の分析結果および選択部で選択された第２の分析結果が記憶されるように制御する制御部とを備えるものである。
【００２７】
また、この発明に係る情報処理装置は、第１のメモリに記憶されている第１の分析結果と、複数個の第２のメモリにそれぞれ記憶されている複数の第２の分析結果とのマッチング演算を行ってマッチ度情報を得る演算部と、この演算部により得られるマッチ度情報に基づき、複数の第２の分析結果のうち最もマッチ度の低い第２の分析結果を選択する選択部と、第１のメモリあるいはこの第１のメモリとは異なるメモリに、第１の分析結果および選択部で選択された第２の分析結果が記憶されるように制御する制御部とを備えるものである。
【００２８】
また、この発明に係る情報処理装置は、第１のメモリに記憶されている第１の分析結果および１個または２個以上の第２のメモリにそれぞれ記憶されている１個または２個以上の第２の分析結果の平均または加算の演算を行って新たな分析結果を得る演算部と、第１のメモリあるいはこの第１のメモリとは異なるメモリに、第１の分析結果および演算部により得られる新たな分析結果が記憶されるように制御する制御部とを備えるものである。
【００２９】
また、この発明に係る情報処理装置は、第１のメモリに記憶されている第１の分析結果と、この第１の分析結果および１個または２個以上の第２のメモリにそれぞれ記憶されている１個または２個以上の第２の分析結果とのマッチング演算を行ってマッチ度情報を得る第１の演算部と、第１の分析結果および１個または２個以上の第２の分析結果の平均または加算の演算を、第１の演算部により得られるマッチ度情報に基づいて重み付けをしていって新たな分析結果を得る第２の演算部と、第１のメモリあるいはこの第１のメモリとは異なるメモリに、第１の分析結果および第２の演算部により得られる新たな分析結果が記憶されるように制御する制御部とを備えるものである。
【００３０】
このように、情報処理装置では、１個または２個以上の第２のメモリにそれぞれ記憶されている１個または２個以上の分析結果から所定の分析結果を選択し、あるいは新たな分析結果を得て、これを第１のメモリあるいはこの第１のメモリとは異なるメモリに、第１の分析結果と共に記憶するものであり、第２のメモリに記憶されている分析結果を有効に利用することが可能となる。
【００３１】
【発明の実施の形態】
以下、図面を参照しながら、この発明の実施の形態について説明する。図１は、実施の形態としての受信装置５００の構成を示している。
この受信装置５００は、図示しないＣＰＵ(Central Processing Unit)を備え、装置全体の動作を制御するための制御部５０１を有している。なお、この制御部５０１はタイマ部５０２を持っている。また、この制御部５０１には、ユーザが選局操作、録画操作、録画予約操作、再生操作等の種々の操作を行うための操作部５０３が接続されている。
【００３２】
また、受信装置５００は、アナログ放送信号およびデジタル放送信号を受信する受信アンテナ５０４と、このアンテナ５０４で受信される放送信号を後述するアナログチューナ部５０６およびデジタルチューナ部５２１に選択的に入力するためのセレクタ５０５とを有している。この場合、セレクタ５０５は、受信アンテナ５０４で受信された放送信号を、アナログ放送信号に含まれる番組を受信する際にはアナログチューナ部５０６に入力し、一方、デジタル放送信号に含まれる番組を受信する際にはデジタルチューナ部５２１に入力する。
【００３３】
また、受信装置５００は、入力されるアナログ放送信号に対して選局処理を行って所定番組の中間周波信号を得るアナログチューナ部５０６と、このアナログチューナ部５０６で得られる中間周波信号に対して復調処理（映像検波処理）を行って、放送データとしての所定番組の映像信号を得る復調部５０７とを有している。なお、このように復調回路５０７で得られる映像信号の例えば垂直ブランキング期間には、この所定番組に対応した付加情報ＡＩ１が多重されている。この付加情報ＡＩ１には、この所定番組のタイトル、出演者の人名およびジャンル等の情報が含まれている。
【００３４】
また、受信装置５００は、復調部５０７で得られる映像信号を、後述する記録制御部５１０、ＹＣ分離制御部５１２に入力するためのセレクタ５０８を有している。この場合、セレクタ５０８は、復調部５０７で得られる映像信号を、記録する際には記録制御部５１０に入力し、この映像信号による画像を、ＣＲＴ(Cathode-Ray Tube)やＬＣＤ(Liquid Crystal Display)等の表示素子（図示せず）に表示する場合には、ＹＣ分離制御部５１２に入力する。
【００３５】
また、受信装置５００は、アナログ記録部としてのＶＴＲ(Video Tape Recorder)５０９と、このＶＴＲ５０９への映像信号の記録を制御する記録制御部５１０と、このＶＴＲ５０９からの映像信号の再生を制御する再生制御部５１１と、映像情報より輝度信号Ｙおよび搬送色信号Ｃをそれぞれ分離し、その後に搬送色信号Ｃに対して復調処理を行って赤色差信号Ｒ−Ｙ、青色差信号Ｂ−Ｙを得、さらにその後にこれらの信号Ｙ，Ｒ−Ｙ，Ｂ−Ｙを用いたマトリックス処理を行って、画像データとしての赤、緑、青の色信号Ｒ，Ｇ，Ｂを得るＹＣ分離制御部５１２を有している。
【００３６】
この場合、ＶＴＲ５０９への映像信号の記録時において、このＶＴＲ５０９への映像信号の供給は、記録制御部５１０を介して行われる。また、ＶＴＲ５０９からの映像信号の再生時において、再生された映像信号は、再生制御部５１１を介して、ＹＣ分離制御部５１２に入力される。
【００３７】
図２は、ＹＣ分離制御部５１２の構成を示している。すなわち、復調部５０７からセレクタ５０８を介して入力される映像信号ＳＶａは、付加情報検出部６０１およびＹ／Ｃ分離部６０２に供給される。同様に、ＶＴＲ５０９で再生されて再生制御部５１１を介して入力される映像信号ＳＶｂは、付加情報検出部６０１およびＹ／Ｃ分離部６０２に供給される。
【００３８】
付加情報検出部６０１は、供給される映像信号ＳＶａまたは映像信号ＳＶｂの垂直ブランキング期間に多重されている付加情報ＡＩ１を検出し、検出した付加情報ＡＩ１を後述するログ記録制御部５４２に供給する。Ｙ／Ｃ分離部６０２は、供給される映像信号ＳＶａまたは映像信号ＳＶｂを輝度信号Ｙと搬送色信号Ｃとに分離し、搬送色信号Ｃを色復調部６０３に入力すると共に、輝度信号Ｙをマトリックス部６０４に入力する。
【００３９】
色復調部６０３は、入力される搬送色信号Ｃを復調して赤色差信号Ｒ−Ｙおよび青色差信号Ｂ−Ｙを取り出し、これらの色差信号Ｒ−Ｙ，Ｂ−Ｙをマトリックス部６０４に入力する。マトリックス部６０４は、入力される輝度信号Ｙおよび色差信号Ｒ−Ｙ，Ｂ−Ｙを用いてマトリックス演算を行って赤、緑、青の色信号Ｒ，Ｇ，Ｂを生成し、これら色信号Ｒ，Ｇ，Ｂを出力する。
【００４０】
また、図１に戻って、受信装置５００は、ＹＣ分離制御部５１２より出力される赤、緑、青の色信号Ｒ，Ｇ，Ｂに対して、ＯＳＤ(On Screen Display)機能のために、文字図形などの表示を行う表示信号ＳＣＨを合成する合成部５１３を有している。この合成部５１３より出力される赤、緑、青の色信号Ｒ，Ｇ，ＢがＣＲＴやＬＣＤ等の表示素子（図示せず）に供給されることで、この表示素子に映像信号ＳＶａまたは映像信号ＳＶｂによる画像が表示されることとなる。
【００４１】
また、受信装置５００は、入力されるデジタル放送信号に対して選局処理を行って所定番組のデジタル変調データを得るデジタルチューナ部５２１と、このデジタルチューナ部５２１で得られるデジタル変調データに対して復調処理を行って放送データとしてのＭＰＥＧ(Moving Picture Experts Group)データを得るチャネルデコーダ５２２とを有している。なお、このようにチャネルデコーダ５２２で得られるＭＰＥＧデータには、この所定番組に対応した付加情報ＡＩ２が多重されている。この付加情報ＡＩ２には、この所定番組のタイトル、出演者の人名およびジャンル等の情報が含まれている。
【００４２】
また、受信装置５００は、チャネルデコーダ５２２で得られるＭＰＥＧデータを、後述するＭＰＥＧデコーダ５２７、記録制御部５２５に入力するためのセレクタ５２３を有している。この場合、セレクタ５２３は、チャネルデコーダ５２２で得られるＭＰＥＧデータを記録する際には記録制御部５２５に入力し、ＭＰＥＧデータによる画像をＣＲＴやＬＣＤ等の表示素子（図示せず）に表示する場合には、ＭＰＥＧデコーダ５２７に入力する。
【００４３】
また、受信装置５００は、デジタル記録部としてのＨＤＤ(Hard Disk Drive)５２４と、このＨＤＤ５２４へのＭＰＥＧデータの記録を制御する記録制御部５２５と、このＨＤＤ５２４からのＭＰＥＧデータの再生を制御する再生制御部５２６と、ＭＰＥＧデータに対して復号化処理を行って、画像データとしての赤、緑、青の色信号Ｒ，Ｇ，Ｂを得るＭＰＥＧデコーダ５２７とを有している。
【００４４】
この場合、ＨＤＤ５２４へのＭＰＥＧデータの記録時において、このＨＤＤ５２４へのＭＰＥＧデータの供給は、記録制御部５２５を介して行われる。一方、ＨＤＤ５２４からのＭＰＥＧデータの再生時において、再生されたＭＰＥＧデータは、再生制御部５２６を介してＭＰＥＧデータ５２７に入力される。なお、セレクタ５２３はＭＰＥＧデータに付加されている付加情報ＡＩ２を抽出する機能を備えており、このセレクタ５２３で抽出される付加情報ＡＩ２は、記録制御部５２５を介して後述するログ記録制御部５４２に供給される。
【００４５】
また、受信装置５００は、再生部としてのＤＶＤ(Digital Video Disc)再生部５３１と、このＤＶＤ再生部５３１からのコンテンツデータの再生を制御する再生制御部５３２とを有している。
【００４６】
このＤＶＤ再生部５３１からは、ユーザの操作に応じて、所定のコンテンツのコンテンツデータが再生される。このコンテンツデータには付加情報ＡＩ３が含まれており、この所定のコンテンツのタイトル、出演者の人名、監督の人名、作曲家の人名、作詞家の人名およびジャンル等の情報が含まれている。
【００４７】
この場合、ＤＶＤ再生部５３１からの所定のコンテンツデータの再生時において、このコンテンツデータに含まれるＭＰＥＧデータは、再生制御部５３２を介してＭＰＥＧデコーダ５２７に入力される。なお、再生制御部５３２は、さらに、コンテンツデータに付加されている付加情報ＡＩ３を抽出し、この付加情報ＡＩ３を後述するログ記録制御部５４２に供給する。
【００４８】
図３は、再生制御部５３２の構成を示している。すなわち、再生制御部５３２は信号読み出し部６１１を備えており、制御部５０１の制御のもと、この信号読み出し部６１１によって、ＤＶＤ再生部５３１が再生状態とされ、再生された所定のコンテンツデータは、この信号読み出し部６１１を介して分離部６１２に供給される。この分離部６１２は、供給されるコンテンツデータから、付加情報ＡＩ３と、ＭＰＥＧデータＭＰＤｃとを分離して出力する。
【００４９】
また、図１に戻って、受信装置５００は、ＭＰＥＧデコーダより出力される赤、緑、青の色信号Ｒ，Ｇ，Ｂに対して、ＯＳＤ機能のために、文字図形などの表示を行う表示信号ＳＣＨを合成する合成部５３３を有している。この合成部５３３より出力される赤、緑、青の色信号Ｒ，Ｇ，ＢがＣＲＴやＬＣＤ等の表示素子（図示せず）に供給されることで、ＭＰＥＧデコーダ５２７に、チャネルデコーダ５２２からセレクタを介して供給されるＭＰＥＧデータＭＰＤａ、ＨＤＤ５２４から再生制御部５２６を介して供給されるＭＰＥＧデータＭＰＤｂまたはＤＶＤ再生部５３１から再生制御部５３２を介して供給されるＭＰＥＧデータＭＰＤｃによる画像が表示されることとなる。
【００５０】
ここで、合成部５１３，５３３に供給される表示信号ＳＣＨは、上述の制御部５０１で作成され、本実施の形態においては、再生制御部５２６を介して、供給される。なお、制御部５０１から合成部５１３，５３３に、表示信号ＳＣＨが直接供給されるようにしてもよい。なお、この表示信号ＳＣＨは、表示素子に選局される番組のチャネル番号を表示したり、予約設定時の表示をしたりする際の他、後述するように、ＨＤＤ５２４に記録されている番組表のデータに基づいて、表示素子に番組表を表示する際、あるいは後述するようにＨＤＤ５２４に記録されている番組表に存在する番組のうち、ユーザにレコメンド（推薦）すべき番組を表示する際等にも、合成部５１３，５３３に供給される。
【００５１】
なお、上述では、ＨＤＤ５２４は、チャネルデコーダ５２２で得られる所定番組のＭＰＥＧデータを記録すると共に、記録された所定番組のＭＰＥＧデータを再生するように説明したが、このＨＤＤ５２４は、例えばデジタルチューナ部５２１で取得される、例えばデジタル放送信号に含まれる番組表のデータ、つまりＥＰＧ(Electronic Program Guide)の情報をも記録される。この番組表のデータには、数日分の番組のそれぞれにおける情報、例えば放送日時、チャネル、タイトル、出演者の人名、ジャンル、概要などの情報が含まれている。
【００５２】
この場合、デジタルチューナ部５２１で取得された番組表のデータは、制御部５０１および記録制御部５２５を介してＨＤＤ５２４に供給されて記録される。なお、この番組表のデータは随時更新される。また、制御部５０１は、再生制御部５２６を介して、ＨＤＤ５２４に記録されている番組表のデータから所定番組の情報を検索して取得することができる。例えば、ユーザの操作により、ＨＤＤ５２４に記録される番組表のデータに基づいて録画予約が行われるとき、制御部５０１は録画予約された番組の情報を取得し、これをその番組の付加情報ＡＩ２として、記録制御部５２５を介して後述するログ記録制御部５４２に供給する。
【００５３】
また、受信装置５００は、装脱可能な基板ベイメモリ５４１と、タイトル、人名、ジャンルの頻度分布の情報をそれぞれ作成し、この頻度分布の情報を基板ベイメモリ５４１に記録するログ記録制御部５４２とを有している。
【００５４】
図４は、ログ記録制御部５４２の構成を示している。すなわち、ＹＣ分離制御部５１２から供給される付加情報ＡＩ１、記録制御部５２５から供給される付加情報ＡＩ２および再生制御部５３２から供給される付加情報ＡＩ３は、それぞれ分離部６２１に供給される。分離部６２１は、供給される付加情報から、タイトル、人名、ジャンルの情報をそれぞれ分離する。
【００５５】
分離部６２１で分離されたタイトルの情報は、頻度分布作成部６２２に供給される。この頻度分布作成部６２２には、記録再生部６２３により基板ベイメモリ５４１から読み出される、それまでのタイトルの頻度分布の情報が供給される。頻度分布作成部６２２は、基板ベイメモリ５４１から読み出されたタイトルの頻度分布の情報を、分離部６２１で分離されたタイトルの情報に対応したタイトルの頻度が増加するように修正する。このように頻度分布作成部６２２で修正されたタイトルの頻度分布の情報は、記録再生部６２３を介して基板ベイメモリ５４１に書き込まれる。これにより、基板ベイメモリ５４１内のタイトルの頻度分布の情報は修正されたタイトルの頻度分布の情報に更新される。
【００５６】
また、分離部６２１で分離されたジャンルの情報は、頻度分布作成部６２４に供給される。この頻度分布作成部６２４には、記録再生部６２３により基板ベイメモリ５４１から読み出される、それまでのジャンルの頻度分布の情報が供給される。頻度分布作成部６２４は、基板ベイメモリ５４１から読み出されたジャンルの頻度分布の情報を、分離部６２１で分離されたジャンルの情報に対応したジャンルの頻度が増加するように修正する。このように頻度分布作成部６２４で修正されたジャンルの頻度分布の情報は、記録再生部６２３を介して基板ベイメモリ５４１に書き込まれる。これにより、基板ベイメモリ５４１内のジャンルの頻度分布の情報は、修正されたジャンルの頻度分布の情報に更新される。
【００５７】
また、分離部６２１で分離された人名の情報は、人名切出部６２５に供給される。この人名の情報には、上述したタイトルやジャンルの情報と異なり、複数個の情報が含まれることが多い。人名切出部６２５は、分離部６２１で分離された人名の情報に含まれる個々の人名の情報を切り出して頻度分布作成部６２６に供給する。また、頻度分布作成部６２６には、記録再生部６２３により基板ベイメモリ５４１から読み出される、それまでの人名の頻度分布の情報が供給される。
【００５８】
頻度分布作成部６２６は、基板ベイメモリ５４１から読み出された人名の頻度分布の情報を、人名切出部６２５で切り出された人名の情報に対応した人名の頻度が増加するように修正する。このように頻度分布作成部６２６で修正された人名の頻度分布の情報は、記録再生部６２３を介して基板ベイメモリ５４１に書き込まれる。これにより、基板ベイメモリ５４１内の人名の頻度分布の情報は、修正された頻度分布の情報に更新される。
【００５９】
なお、図１では、記録制御部５１０、再生制御部５１１、ＹＣ分離制御部５１２、合成部５１３、ＭＰＥＧデコーダ５２７および合成部５３３に対する制御ラインの図示を省略しているが、これらの動作も制御部５０１によって制御されている。
【００６０】
次に、図１に示す受信装置５００の動作を説明する。
ユーザの操作部５０３による操作により、アナログ放送信号に含まれる所定番組を受信する場合、受信アンテナ５０４で受信される放送信号はセレクタ５０５を介してアナログチューナ部５０６に供給される。チューナ部５０６では、入力されるアナログ放送信号に対して選局処理が行われて、所定番組の中間周波信号が得られる。この所定番組の中間周波信号は復調部５０７に供給される。この復調部５０７では、中間周波信号の復調処理が行われ、所定番組の映像信号が得られる。
【００６１】
そして、ユーザの操作部５０３による操作により、この所定番組の映像信号をＶＴＲ５０９に記録する場合、この映像信号はセレクタ５０８および記録制御部５１０を介してＶＴＲ５０９に供給されて記録される。
【００６２】
また、ユーザの操作部５０３による操作により、この所定番組の映像信号による画像をＣＲＴやＬＣＤ等の表示素子に表示して視聴する場合、この映像信号ＳＶａはセレクタ５０８を介してＹＣ分離制御部５１２に供給される。そして、このＹＣ分離制御部５１２から出力される赤、緑、青の色信号Ｒ，Ｇ，Ｂは、合成部５１３を介して、図示しないＣＲＴやＬＣＤ等の表示素子に供給される。これにより、表示素子には受信された所定番組の映像信号ＳＶａによる画像が表示される。この場合、ＹＣ分離制御部５１２では映像信号ＳＶａから付加情報ＡＩ１が分離され、この付加情報ＡＩ１はログ記録制御部５４２に供給される。
【００６３】
図５のフローチャートは、この放送番組視聴時におけるＹＣ分離制御部５１２の動作を示している。ステップＳＴ１で、入力された映像信号から、付加情報ＡＩ１を分離し、この付加情報ＡＩ１をログ記録制御部５４２に供給する。そして、ステップＳＴ２で、この映像信号から輝度信号Ｙおよび搬送色信号Ｃを分離し、これらを処理して色信号Ｒ，Ｇ，Ｂを出力する。
【００６４】
また、ユーザの操作部５０３の操作により、ＶＴＲ５０９に記録されている所定番組の映像信号を再生する場合に、ＶＴＲ５０９で再生された映像信号ＳＶｂは再生制御部５１１を介してＹＣ分離制御部５１２に供給される。これにより、表示素子には、ＶＴＲ５０９から再生された所定番組の映像信号ＳＶｂによる画像が表示される。この場合、ＹＣ分離制御部５１２では映像信号ＳＶｂから付加情報ＡＩ１が分離され、この付加情報ＡＩ１はログ記録制御部５４２に供給される。詳細説明は省略するが、このＶＴＲ再生時におけるＹＣ分離制御部５１２の動作も、上述した放送番組視聴時と同様である（図５のフローチャート参照）。
【００６５】
また、ユーザの操作部５０３による操作により、デジタル放送信号に含まれる所定番組を受信する場合、受信アンテナ５０４で受信される放送信号はセレクタ５０５を介してデジタルチューナ部５２１に供給される。チューナ部５２１では、入力されるデジタル放送信号に対して選局処理が行われて、所定番組のデジタル変調データが得られる。この所定番組のデジタル変調データはチャネルデコーダ５２２に供給される。このチャネルデコーダ５２２では、デジタル変調データの復調処理が行われ、所定番組のＭＰＥＧデータが得られる。
【００６６】
このようにチャネルデコーダ５２２で得られる所定番組のＭＰＥＧデータはセレクタ５２３に供給される。このセレクタ５２３では、この所定番組のＭＰＥＧデータに付加されている付加情報ＡＩ２が分離され、この付加情報ＡＩ２は記録制御部５２５を介してログ記録制御部５４２に供給される。
【００６７】
そして、ユーザの操作部５０３による操作により、この所定番組のＭＰＥＧデータをＨＤＤ５２４に記録する場合、このＭＰＥＧデータは、セレクタ５２３および記録制御部５２５を介してＨＤＤ５２４に供給されて記録される。
【００６８】
また、ユーザの操作部５０３による操作により、この所定番組のＭＰＥＧデータによる画像をＣＲＴやＬＣＤ等の表示素子に表示して視聴する場合、このＭＰＥＧデータＭＰＤａはセレクタ５２３を介してＭＰＥＧデコーダ５２７に供給される。そして、このＭＰＥＧデコーダ５２７から出力される赤、緑、青の色信号Ｒ，Ｇ，Ｂは、合成部５１３を介して、図示しないＣＲＴやＬＣＤ等の表示素子に供給される。これにより、表示素子には受信された所定番組のＭＰＥＧデータＭＰＤａによる画像が表示される。
【００６９】
また、ユーザの操作部５０３の操作により、ＨＤＤ５２４に記録されている所定番組のＭＰＥＧデータを再生する場合、ＨＤＤ５２４で再生されたＭＰＥＧデータＭＰＤｂは再生制御部５２６を介してＭＰＥＧデコーダ５２７に供給される。これにより、表示素子には、ＨＤＤ５２４から再生された所定番組のＭＰＥＧデータＭＰＤｂによる画像が表示される。
【００７０】
また、ユーザの操作部５０３の操作により、ＨＤＤ５２４に記録されている番組表のデータに基づいて、番組表を表示素子に表示できる。この場合、制御部５０１は、例えばユーザの操作部５０３の操作によって特定されたジャンル、日時等の番組の情報を、ＨＤＤ５２４から再生制御部５２６を介して読み出し、この読み出された番組の情報を用いて、番組表を表示するための表示信号ＳＣＨを生成する。
【００７１】
この表示信号ＳＣＨは、制御部５０１から、再生制御部５２６を介して合成部５１３，５３３に供給される。合成部５１３，５３３では、画像データとしての色信号Ｒ，Ｇ，Ｂに、この表示信号ＳＣＨが合成される。これにより、表示素子の画面上には、色信号Ｒ，Ｇ，Ｂによる画像に重ねて、番組表が表示される。ユーザは、このように表示素子に番組表が表示されている状態で、所定番組の録画予約を行うことができる。この場合、ユーザは、操作部５０３の操作によって、表示された番組表から録画予約すべき所定番組を選択することができる。
【００７２】
制御部５０１は、このように番組表に基づいて録画予約が行われる場合、その所定番組の放送日時、チャネル、タイトル、出演者の人名、ジャンルなどの情報を、再生制御部５２６を介して、ＨＤＤ５２４から読み出し、内蔵メモリ（図示せず）に一時的に格納する。
【００７３】
そして、制御部５０１は、チャネル、タイトル、出演者の人名、ジャンルの情報を、この所定番組の付加情報ＡＩ２として、記録制御部５２５を介してログ記録制御部５４２に供給する。また、制御部５０１は、放送日時およびチャネルの情報に基づいて、放送日時に、その所定番組が録画されるように制御する。すなわち、制御部５０１は、放送日時となるとき、アナログチューナ部５０６またはデジタルチューナ部５２１を制御してその所定番組に係るチャネルの受信状態とし、記録制御部５１０または記録制御部５２５を制御して、ＶＴＲ５０９またはＨＤＤ５２４でこの所定番組の映像信号またはＭＰＥＧデータが記録されるようにする。
【００７４】
図６のフローチャートは、上述した録画予約時における制御部５０１の動作を示している。ステップＳＴ１１で、番組表より所定番組の録画予約選択があったとき、ステップＳＴ１２で、再生制御部を介して、ＨＤＤ５２４から、録画予約された所定番組の放送日時、チャネル、タイトル、出演者の人名、ジャンルなどの情報を読み出し、内蔵メモリに一時的に格納する。そして、ステップＳＴ１３で、録画予約された所定番組のタイトル、出演者の人名、ジャンルなどの情報を、この所定番組の付加情報ＡＩ２として、記録制御部５２５を介して、ログ記録制御部５４２に供給する。
【００７５】
なお、録画予約時に、上述したように録画予約すべき所定番組を、表示された番組表から選択して特定するのではなく、操作部５０３の操作で放送日時およびチャネルを直接入力することで、録画予約すべき所定番組を特定することもできる。この場合、制御部５０１は、入力された放送日時およびチャネルの情報を内蔵メモリに一時的に格納し、これらの情報を用いて、所定番組の放送日時に、その番組の録画が行われるように制御する。
【００７６】
また、制御部５０１は、再生制御部５２６を通じて、放送日時およびチャネルの情報に基づき、当該録画予約された所定番組に対応するタイトル、出演者の人名、ジャンルの情報がＨＤＤ５２４に記録されているか否かを検索し、記録されているときには、その情報を読み出して内蔵メモリに一時的に格納する。そして、制御部５０１は、その情報を、録画予約された所定番組の付加情報ＡＩ２として、記録制御部５２５を介して、ログ記録制御部５４２に供給する。
【００７７】
また、ユーザの操作部５０３の操作により、ＤＶＤ再生部５３１で、所定コンテンツを再生する場合、このＤＶＤ再生部５３１で再生されたＭＰＥＧデータＭＰＤｃは、再生制御部５３２を介してＭＰＥＧデコーダ５２７に供給される。これにより、表示素子には、ＤＶＤ再生部５３１で再生された所定コンテンツのＭＰＥＧデータＭＰＤｃによる画像が表示される。この場合、再生制御部５３２では、ＭＰＥＧデータに付加されている付加情報ＡＩ３が抽出され、この付加情報ＡＩ３はログ記録制御部５４２に供給される。
【００７８】
図７のフローチャートは、このＤＶＤ再生時における再生制御部５３２（図３参照）の動作を示している。ステップＳＴ２１で、制御部５０１から再生を指示する制御信号が供給されるとき、ステップＳＴ２２で、信号読み出し部６１１により、ＤＶＤ再生部を５３１を再生状態として、指定されたコンテンツのデータを読み出す。
【００７９】
そして、ステップＳＴ２３で、読み出されたデータを、分離部６１２で、ＭＰＥＧデータＭＰＤｃと付加情報ＡＩ３とに分離し、ステップＳＴ２４で、ＭＰＥＧデータＭＰＤｃをＭＰＥＧデコーダ５２７に供給し、付加情報ＡＩ３をログ記録制御部５４２に供給する。
【００８０】
また、上述したように、ログ記録制御部５４２には、ＹＣ分離制御部５１２から付加情報ＡＩ１が供給され、記録制御部５２５から付加情報ＡＩ２が供給され、再生制御部５３２から付加情報ＡＩ３が供給される。ログ記録制御部５４２（図４参照）は、付加情報ＡＩ１〜ＡＩ３がそれぞれ供給される毎に、タイトル、人名、ジャンルの頻度分布の情報を修正し、修正された新たな頻度分布の情報を基板ベイメモリ５４１に記憶する。
【００８１】
図８のフローチャートは、このログ記録制御部５４２の動作を示している。ステップＳＴ３１で、分離部６２１により、付加情報をタイトル、人名、ジャンルの情報に分離する。そして、ステップＳＴ３２で、分離された情報が人名の情報であるときは、ステップＳＴ３３で、分離された人名の情報に含まれる個々の人名の情報を切り出して、ステップＳＴ３４に進む。ステップＳＴ３２で、分離された情報が人名の情報でないときは、直ちにステップＳＴ３４に進む。
【００８２】
ステップＳＴ３４では、タイトル、人名、ジャンルの頻度分布をそれぞれ作成する。この場合、記録再生部６２３により、基板ベイメモリ５４１から読み出された各頻度分布の情報を、分離部６２１で分離されたタイトル、人名、ジャンルの情報に対応したタイトル、人名、ジャンルの頻度が増加するように、それぞれ修正する。そして、ステップＳＴ３５で、このように修正されたそれぞれの頻度分布の情報を、記録再生部６２３により、基板ベイメモリ５４１に書き込む。これにより、基板ベイメモリ５４１内のそれぞれ頻度分布の情報は、修正された頻度分布の情報に更新される。
【００８３】
なお、本実施の形態においては、上述したようにタイトル、人名、ジャンルの頻度分布を修正するにあたって、分離部６２１で分離されたタイトル、人名、ジャンルの情報に対応したタイトル、人名、ジャンルの増加頻度を単純に「１」とするのではなく、重み付けが行われる。この重み付けの情報は、供給ラインは図示せずも、制御部５０１からログ記録制御部５４２に供給される。
【００８４】
まず、番組視聴時にログ記録制御部５４２に供給される付加情報に対応して、タイトル、人名、ジャンルの頻度分布を修正する際における、タイトル、人名、ジャンルの増加頻度に対する重み付けについて説明する。
【００８５】
図９のフローチャートは、制御部５０１における、この番組視聴時の重み付けを求める処理を示している。
まず、ステップＳＴ４１で、カウント値ＮをＮ＝０に初期化する。そして、ステップＳＴ４２で、タイマをスタートし、さらにステップＳＴ４３で、フラグ＝１にする。
【００８６】
次に、ステップＳＴ４４で、チャネル切り換えがあるか否かを判断する。チャネル切り換えがないときは、ステップＳＴ４５で、フラグ＝１で１０分以上経過したか否かを判断する。ステップＳＴ４４で、チャネルの切り換えがあるときは、ステップＳＴ４６で、タイマをストップし、ステップＳＴ４７で、カウント値Ｎをインクリメントし、その後にステップＳＴ４２に戻る。
【００８７】
ステップＳＴ４５で、条件を満たすときは、ステップＳＴ４８で、視聴中の番組に係る付加情報によるタイトル、人名、ジャンルの増加頻度に、以下のような重み付けをする。Ｎ＝０であるときは、２．０倍の重み付けとする。一方、Ｎ≠０でないときは、（１．０＋０．５／Ｎ）倍の重み付けとする。
【００８８】
次に、ステップＳＴ４９で、Ｎ＝０に初期化すると共に、フラグ＝０として、ステップＳＴ４４に戻り、以下上述したと同様の処理を繰り返す。
【００８９】
このように、図９のフローチャートで示す重み付けの処理では、チャネル切り換えがなく１０分を経過したとき、視聴中の番組に係る付加情報によるタイトル、人名、ジャンルの増加頻度に、その視聴中の番組に至るまでのチャネル切り換え回数（カウント値Ｎ）に応じた重み付けがなされる。この場合、チャネルの切り換え回数が少ないほど、大きな重み付けがなされる。これは、ユーザにとって、チャネル切り換え回数が小さいほど、重要度が高いであろうとの仮定に基づくものである。なお、重み付けの値は上述した値に限定されるものではなく、その他の算出式を用いて求めるようにしてもよい。
【００９０】
また、録画予約時にログ記録制御部５４２に供給される付加情報に対応して、タイトル、人名、ジャンルの頻度分布を修正する際における、タイトル、人名、ジャンルの増加頻度に対する重み付けについて説明する。
【００９１】
図１０のフローチャートは、制御部５０１における、この録画予約時の重み付けを求める動作を示している。
【００９２】
まず、ステップＳＴ５１で、現在日時と予約日時を比較する。当日予約であるときは、ステップＳＴ５２で、録画予約された番組に係る付加情報によるタイトル、人名、ジャンルの増加頻度に対する重み付けを１．２倍とする。また、当日より前の予約であるとき（週間予約を除く）は、ステップＳＴ５３で、その重み付けを１．５倍とする。また、週間予約であるときは、ステップＳＴ５４で、その重み付けを２．０倍とする。
【００９３】
このように、図１０のフローチャートで示す重み付けの処理では、現在日時と予約日時との関係に応じた重み付けがなされる。この場合、当日より前の予約、あるいは週間予約の方が、当日予約より、大きな重み付けがなされる。これは、ユーザにとって、当日より前の予約、あるいは週間予約に係る番組の方が、当日予約の番組より重要度が高いであろうとの仮定に基づくものである。なお、重み付けの値は上述した値に限定されるものではなく、その他の値としてもよい。
【００９４】
また、ＤＶＤ再生時にログ記録制御部５４２に供給される付加情報に対応して、タイトル、人名、ジャンルの頻度分布を修正する際における、タイトル、人名、ジャンルの増加頻度に対する重み付けについて説明する。
【００９５】
図１１のフローチャートは、制御部５０１における、ＤＶＤ再生部５３１で所定コンテンツが再生される際（ＤＶＤ再生時）の重み付けを求める処理を示している。
【００９６】
まず、ステップＳＴ６１で、早送りの状態にあるか否かを判断する。早送りの状態にあるときは、ステップＳＴ６２で、タイマをスタートし、早送りの状態にある時間の計測を開始する。そして、ステップＳＴ６３で、早送りの状態を終了して再生状態に戻ったか否かを判断する。再生状態に戻ったときは、ステップＳＴ６４で、タイマで計測された早送りの状態にある時間を、図示しない内蔵メモリに格納し、その後にステップＳＴ６５に進む。上述したステップＳＴ６１で、早送りの状態になく、再生状態にあるときは、直ちにステップＳＴ６５に進む。
【００９７】
ステップＳＴ６５では、巻き戻しの状態にあるか否かを判断する。巻き戻しの状態にあるときは、ステップＳＴ６６で、タイマをスタートし、巻き戻しの状態にある時間の計測を開始する。そして、ステップＳＴ６７で、巻き戻しの状態を終了して再生状態に戻ったか否かを判断する。再生状態に戻ったときは、ステップＳＴ６８で、タイマで計測された巻き戻しの状態にある時間を、図示しない内蔵メモリに格納し、その後にステップＳＴ６９に進む。上述したステップＳＴ６５で、巻き戻しの状態になく、再生状態にあるときは、直ちにステップＳＴ６９に進む。
【００９８】
ステップＳＴ６９では、再生停止であるか否かを判断する。再生停止でないときは、ステップＳＴ６１に戻り、上述したと同様の処理を繰り返す。一方、再生停止であるときは、ステップＳＴ７０で、再生されている所定コンテンツの再生停止位置（タイプスタンプ）を読み出し、ステップＳＴ７１で、以下のような重み付けをする。
【００９９】
すなわち、再生されている所定コンテンツの記録時間と、タイプスタンプと、早送りの状態にあった総時間（早送り時間）と、巻き戻しの状態にあった総時間（巻き戻し時間）とを用いて、［１．０＋（タイプスタンプ／記録時間）−早送り時間／記録時間＋巻き戻し時間／記録時間］倍の重み付けとする。
【０１００】
このように、図１１のフローチャートで示す重み付けの処理では、再生時における早送り時間や巻き戻し時間に応じた重み付けがなされる。この場合、早送り時間が短いほど、また巻き戻し時間が長いほど、大きな重み付けがなされる。これは、ユーザにとって、早送り時間が短いほど、また巻き戻し時間が長いほど、重要度が高いであろうとの仮定に基づくものである。なお、重み付けの値は上述した値に限定されるものではなく、その他の算出式を用いて求めるようにしてもよい。
【０１０１】
また、図１に示す受信装置５００においては、上述したように基板ベイメモリ５４１に格納されたタイトル、人名、ジャンルの頻度分布の情報を利用して、ユーザの好みの番組を自動録画する機能を持っている。この自動録画機能は、自動録画設定の動作と、自動録画実行の動作とからなっている。
【０１０２】
図１２のフローチャートは、制御部５０１における、自動録画設定の動作を示している。この自動録画設定の動作は、ユーザの操作部５０３による操作によって開始させることができ、また終了させることができる。
【０１０３】
ステップＳＴ８１で、自動録画設定時刻になったか否かを判断する。この自動録画設定時刻は、例えばユーザによって、一日のうちの所定の時刻に予め設定される。そして、自動録画設定時刻となると、ステップＳＴ８２で、再生制御部５２６を介して、基板ベイメモリ５４１に格納されているタイトル、人名、ジャンルの頻度分布の情報から、タイトル、人名、ジャンルのそれぞれにおける最大頻度の項目内容を抽出する。
【０１０４】
次に、ステップＳＴ８３で、再生制御部５２６を介して、上述の抽出されたタイトル、人名、ジャンルの項目内容にマッチングした番組を、ＨＤＤ５２４に格納されている番組表のデータから検索する。ここで、マッチングした番組とは、タイトル、人名、ジャンルの項目内容の全てを満たす番組だけでなく、その一部のみを満たす番組も含めることができる。そして、ステップＳＴ８４で、タイマ部５０２のメモリに、検索された番組の情報を書き込む。
【０１０５】
なお、ステップＳＴ８３で、抽出されたタイトル、人名、ジャンルの項目内容にマッチングした番組を検索できなかったときは、ステップＳＴ８４で、タイマ部５０２のメモリに、番組の情報が書き込まれることはない。
【０１０６】
図１３は、基板ベイメモリ５４１に格納されているタイトル、人名、ジャンルの頻度分布の情報の一例を示したものである。この例の場合、ジャンルの最大頻度の項目内容は「音楽」であり、人名の最大頻度の項目内容は「うただ○○」であり、タイトルの最大頻度の項目内容は「△ミュージック」である。
【０１０７】
したがって、上述のステップＳＴ８２で抽出されるタイトル、人名、ジャンルの項目内容は、「△ミュージック」、「うただ○○」、「音楽」となる。そして、上述のステップＳＴ８３では、この抽出された項目内容にマッチングした番組が検索され、上述したステップＳＴ８４で、その検索された番組の情報がタイマ部に書き込まれる。図１４は、検索された番組の情報の一例を示しており、タイマ部５０２にはそのうち放送日時およびチャネルの情報のみ書き込まれる。
【０１０８】
なお、上述したステップＳＴ８２では、最大頻度の項目内容のみを抽出したものであるが、最大から所定順位までの頻度の項目内容を抽出するようにしてもよい。この場合、上述したステップＳＴ８３では、この最大から所定順位までの頻度の項目内容にマッチングした番組が検索されることとなる。例えば、タイトル、人名、ジャンルのそれぞれに関して、最大から所定順位までの頻度の項目内容のいずれかを含む番組をマッチングした番組とすることができる。
【０１０９】
次に、図１５のフローチャートは、制御部５０１における、自動録画実行の動作を示している。この自動録画実行の動作は、ユーザの操作部５０３による操作によって開始させることができ、また終了させることができる。
【０１１０】
ステップＳＴ９１で、タイマ部５０２に格納されている番組情報（放送日時およびチャネルの情報）に対応する番組の放送時刻となったか否かを判断する。その番組の放送時刻となったときは、ステップＳＴ９２で、アナログチューナ部５０６またはデジタルチューナ部５２１を制御してその所定番組に係るチャネルの受信状態とし、さらにステップＳＴ９３で、記録制御部５１０または記録制御部５２５を制御して、ＶＴＲ５０９またはＨＤＤ５２４でこの所定番組の映像信号またはＭＰＥＧデータを記録する。
【０１１１】
次に、ステップＳＴ９４で、ＶＴＲ５０９またはＨＤＤ５２４に、タイマ部５０２に格納されている、他の番組情報に対応する番組の内容（映像信号またはＭＰＥＧデータ）を記録し得る空き容量があるか否かを判断する。空き容量があるときは、ステップＳＴＳ９１に戻り、タイマ部５０２に格納されている他の番組情報に対応する処理に移る。一方、空き容量がないときは、自動録画実行の動作を強制的に終了する。
【０１１２】
また、図１に示す受信装置５００においては、上述したように基板ベイメモリ５４１に格納されたタイトル、人名、ジャンルの頻度分布の情報を利用して、ユーザの好みの番組をレコメンド（推奨）する機能を持っている。
【０１１３】
図１６のフローチャートは、制御部５０１における、自動レコメンド実行の動作を示している。この自動レコメンド実行の動作は、ユーザの操作部５０３による操作によって開始させることができ、また終了させることができる。
【０１１４】
ステップＳＴ１０１で、自動レコメンド実行時刻になったか否かを判断する。この自動レコメンド実行時刻は、例えばユーザによって、一日のうちの所定の時刻に予め設定される。そして、レコメンド実行時刻になると、ステップＳＴ１０２で、再生制御部５２６を介して、基板ベイメモリ５４１に格納されているタイトル、人名、ジャンルの頻度分布の情報から、タイトル、人名、ジャンルのそれぞれにおける最大頻度の項目内容を抽出する。
【０１１５】
次に、ステップＳＴ１０３で、再生制御部５２６を介して、上述の抽出されたタイトル、人名、ジャンルの項目内容にマッチングした番組を、ＨＤＤ５２４に格納されている番組表のデータから検索し、その検索された番組の情報（図１４参照）を図示しない内蔵メモリに一時的に書き込む。ここで、マッチングした番組とは、タイトル、人名、ジャンルの項目内容の全てを満たす番組だけでなく、その一部のみを満たす番組も含めることができる。
【０１１６】
次に、ステップＳＴ１０４で、その検索された番組の情報を表示するための表示信号ＳＣＨを生成し、この表示信号ＳＣＨを再生制御部５２６を介して、合成部５１３，５３３に供給する。これにより、合成部５１３，５３３の出力が供給されるＣＲＴやＬＣＤ等の表示素子（図示せず）には、レコメンドすべき番組の情報が表示される。
【０１１７】
なお、ステップＳＴ１０３で、抽出されたタイトル、人名、ジャンルの項目内容にマッチングした番組を検索できなかったときは、ステップＳＴ１０４で、推奨すべき番組の情報を表示する表示信号ＳＣＨを生成して合成部５１３，５３３に供給することはなく、ＣＲＴやＬＣＤ等の表示素子には、レコメンドすべき番組の情報は表示されない。なおこの場合、レコメンドすべき番組がない旨を表示するための表示信号ＳＣＨを生成し、この表示信号ＳＣＨを合成部５１３，５３３に供給し、ＣＲＴやＬＣＤ等の表示素子にレコメンドすべき番組がない旨を表示するようにしてもよい。
【０１１８】
また、上述したステップＳＴ１０２では、最大頻度の項目内容のみを抽出したものであるが、最大から所定順位までの頻度の項目内容を抽出するようにしてもよい。この場合、上述したステップＳＴ１０３では、この最大から所定順位までの頻度の項目内容にマッチングした番組が検索されることとなる。例えば、タイトル、人名、ジャンルのそれぞれに関しては最大から所定順位までの頻度の項目内容のいずれかを含む番組をマッチングした番組とすることができる。
【０１１９】
また、図１に示す受信装置５００における基板ベイメモリ５４１には、上述したようにログ記録制御部５４２により書き込まれる頻度分布の情報の他に、他の同様の受信装置における基板ベイメモリ（以下、「他基板ベイメモリ」という）に書き込まれた頻度分布の情報に基づく他の頻度分布の情報を格納することができる。
【０１２０】
図１７は、基板ベイメモリ５４１に、上述した他の頻度分布の情報を格納するために用いられる、基板ベイメモリのデータ収集装置７００を示している。
【０１２１】
このデータ収集装置７００は、基板ベイメモリ５４１からタイトル、人名、ジャンルの頻度分布の情報を読み出すデータ読み出し部７０１と、このデータ読み出し部７０１で読み出された頻度分布の情報を蓄積部７０３に書き込むデータ書き込み部７０２とを有している。この基板ベイメモリ５４１からの頻度分布の情報は、基板ベイメモリ５４１に係る基板の製造番号ｘによって管理される。
【０１２２】
また、データ収集装置７００は、他の基板ベイメモリ７０４ー1〜７０４ーnからタイトル、人名、ジャンルの頻度分布の情報をそれぞれ読み出すデータ読み出し部７０５-1〜７０５-nと、これらデータ読み出し部７０５-1〜７０５-nで読み出された頻度分布の情報をそれぞれ蓄積部７０３に書き込むデータ書き込み部７０６-1〜７０６-nとを有している。これら他の基板ベイメモリ７０４ー1〜７０４ーnからの頻度分布の情報は、これら他の基板ベイメモリ７０４ー1〜７０４ーnに係る基板の製造番号ｙ1〜ｙnによって管理される。
【０１２３】
また、データ収集装置７００は、蓄積部７０３に書き込まれている製造番号ｘの頻度分布の情報Ｄｘを繰り返し読み出し、後述する比較選択部７０８に供給すると共に、また各回の製造番号ｘの頻度分布の情報Ｄｘの読み出しに対応して、蓄積部７０３に書き込まれている製造番号ｙ1〜ｙnの頻度分布の情報Ｄｙ1〜Ｄｙnを順次読み出し、後述する比較選択部７０８に供給するデータ読み出し部７０７を有している。
【０１２４】
また、データ収集装置７００は、データ読み出し部７０７から供給される製造番号ｙ1〜ｙnの頻度分布の情報Ｄｙ1〜Ｄｙnのそれぞれに対して、データ読み出し部７０７から供給される製造番号ｘの頻度分布の情報Ｄｘとのマッチ度を演算し、製造番号ｙ1〜ｙnの頻度分布の情報Ｄｙ1〜Ｄｙnのうち最大のマッチ度が得られる頻度分布の情報を取得する比較選択部７０８と、この比較選択部７０８で取得された頻度分布の情報を、他の頻度分布の情報として、基板ベイメモリ５４１に書き込むデータ書き込み部７０９とを有している。
【０１２５】
図１８は、比較選択部７０８の構成を示している。この比較選択部７０８は、製造番号ｙ1〜ｙnの頻度分布の情報Ｄｙ1〜Ｄｙnのそれぞれに対して、それぞれ製造番号ｘの頻度分布の情報Ｄｘとのマッチ度を演算するマッチ度演算部７１１を有している。
【０１２６】
このマッチ度演算部７１１では、タイトル、人名、ジャンルのそれぞれ頻度分布の情報のマッチ度が個別に演算され、その後に加算されて最終的なマッチ度とされる。ここで、マッチ度は、マッチ度を演算すべき各々の頻度分布の情報をそれぞれ頻度の最大値と最小値で正規化し、その後に相関演算を行うことで求められる。
【０１２７】
例えばジャンルの頻度分布の情報のマッチ度を求める場合、項目内容Ｋ１，Ｋ２，Ｋ３，Ｋ４，Ｋ５における正規化後の頻度が、一方の頻度分布の情報ではａ1，ａ2，ａ3，ａ4，ａ5であり、他方の頻度分布の情報ではｂ1，ｂ2，ｂ3，ｂ4，ｂ5であるとすると、マッチ度ＭＣＨは、ＭＣＨ＝ａ1・ｂ1＋ａ2・ｂ2＋ａ3・ｂ3＋ａ4・ｂ4＋ａ5・ｂ5と求められる。タイトルや人名の頻度分布のマッチ度を求める場合も同様である。
【０１２８】
また、比較選択部７０８は、マッチ度演算部７１１で演算されるマッチ度が順次供給され、最大マッチ度を記憶しておく、マッチ度比較部７１２を有している。この場合、マッチ度比較部７１２には、製造番号ｙ1〜ｙnの頻度分布の情報Ｄｙ1〜Ｄｙnのそれぞれに対して演算されたマッチ度が順次供給される。マッチ度比較部７１２は、最初に供給されるマッチ度はそのまま最大マッチ度として記憶するが、その後に入力されるマッチ度に関しては、記憶されている最大マッチ度と比較し、最大マッチ度より大きいときのみ最大マッチ度として記憶する。
【０１２９】
これにより、マッチ度比較部７１２には、最終的に、製造番号ｙ1〜ｙnの頻度分布の情報Ｄｙ1〜Ｄｙnのそれぞれに対して演算されたマッチ度のうち、最大のマッチ度が記憶された状態となる。
【０１３０】
また、比較選択部７０８は、マッチ度比較部７１２が入力されたマッチ度を最大マッチ度として記憶する毎に、そのマッチ度に対応する頻度分布の情報を、記憶部７１４に上書きする更新部７１３を有している。これにより、記憶部７１４には、最終的に、製造番号ｙ1〜ｙnの頻度分布の情報Ｄｙ1〜Ｄｙnのうち、最大のマッチ度が得られる頻度分布の情報が記憶された状態となる。この記憶部７１４に最終的に記憶されている頻度分布の情報が、データ書き込み部７０９（図１７参照）により、他の頻度分布の情報として、基板ベイメモリ５４１に書き込まれることとなる。
【０１３１】
図１７に示すデータ収集装置７００の動作を説明する。
基板ベイメモリ５４１からデータ読み出し部７０１により製造番号ｘの頻度分布の情報Ｄｘが読み出され、この情報Ｄｘはデータ書き込み部７０２により蓄積部７０３に書き込まれる。また、他の基板ベイメモリ７０４-1〜７０４-nからデータ読み出し部７０５-1〜７０５-nにより製造番号ｙ1〜ｙnの頻度分布の情報Ｄｙ1〜Ｄｙnが読み出され、この情報Ｄｙ1〜Ｄｙnはデータ書き込み部７０６-1〜７０６-nにより蓄積部７０３に書き込まれる。
【０１３２】
蓄積部７０３に書き込まれた製造番号ｘの頻度分布の情報Ｄｘは、データ読み出し部７０７により繰り返し読み出されて比較選択部７０８に供給される。また、蓄積部７０３に書き込まれた製造番号ｙ1〜ｙnの頻度分布の情報Ｄｙ1〜Ｄｙnは、各回の上述の製造番号ｘの情報Ｄｘの読み出しに対応して、データ読み出し部７０７により順次読み出されて比較選択部７０８に供給される。
【０１３３】
比較選択部７０８では、データ読み出し部７０７から供給される製造番号ｙ1〜ｙnの頻度分布の情報Ｄｙ1〜Ｄｙnのそれぞれに対して、データ読み出し部７０７から供給される製造番号ｘの頻度分布の情報Ｄｘとのマッチ度が演算され、製造番号ｙ1〜ｙnの頻度分布の情報Ｄｙ1〜Ｄｙnのうち最大のマッチ度が得られる頻度分布の情報（以下、「製造番号ｙの頻度分布の情報Ｄｙ」とする）が取得される。
【０１３４】
そして、比較選択部７０８で取得された製造番号ｙの頻度分布の情報Ｄｙは、データ書き込み部７０９により、基板ベイメモリ５４１に書き込まれる。したがって、基板ベイメモリ５４１には、製造番号ｘの頻度分布の情報Ｄｘと共に、製造番号ｙの頻度分布の情報Ｄｙが格納された状態となる。
【０１３５】
なお、データ収集装置７００では、上述したように既に製造番号ｘの頻度分布の情報Ｄｘが格納されている基板ベイメモリ５４１に、製造番号ｙの頻度分布の情報Ｄｙを書き込むものであったが、他の基板ベイメモリに、製造番号ｘ，ｙの頻度分布の情報Ｄｘ，Ｄｙを書き込み、これを基板ベイメモリ５４１として使用してもよい。
【０１３６】
また、図１に示す受信装置５００においては、上述したように基板ベイメモリ５４１に、製造番号ｘの頻度分布の情報Ｄｘの他に、さらに製造番号ｙの頻度分布の情報Ｄｙが格納されている場合、上述した自動録画機能に係る自動録画設定および自動録画実行の動作は以下のようになる。
【０１３７】
図１９のフローチャートは、制御部５０１における、自動録画設定の動作を示している。この自動録画設定の動作は、ユーザの操作部５０３による操作によって開始させることができ、また終了させることができる。
【０１３８】
ステップＳＴ１１１で、自動録画設定時刻になったか否かを判断する。この自動録画設定時刻は、例えばユーザによって、一日のうちの所定の時刻に予め設定される。そして、自動録画設定時刻となると、ステップＳＴ１１２で、再生制御部５２６を介して、基板メモリ５４１に格納されている製造番号ｘのタイトル、人名、ジャンルの頻度分布の情報Ｄｘから、タイトル、人名、ジャンルのそれぞれにおける最大頻度の項目内容Ｔｘを抽出する。
【０１３９】
さらに、このステップＳＴ１１２で、基板メモリ５４１に格納されている製造番号ｙのタイトル、人名、ジャンルの頻度分布の情報Ｄｙから、上述の製造番号ｘのタイトル、人名、ジャンルの頻度分布の情報Ｄｘにない項目内容のうち、タイトル、人名、ジャンルのそれぞれにおける最大頻度の項目内容Ｔｙを抽出する。
【０１４０】
図２０は、項目内容Ｔｙの選択範囲を示す図である。すなわち、楕円Ｃｘは頻度分布の情報Ｄｘに含まれる項目内容の範囲を示しており、楕円Ｃｙは頻度分布Ｄｙに含まれる項目内容の範囲を示している。上述の項目内容Ｔｙは、頻度分布の情報Ｄｙのみに含まれる項目内容の範囲（クロスハッチングされた部分）から抽出される。
【０１４１】
次に、ステップＳＴ１１３で、再生制御部５２６を介して、上述の抽出されたタイトル、人名、ジャンルの項目内容Ｔｘ，Ｔｙにそれぞれマッチングした番組を、ＨＤＤ５２４に格納されている番組表のデータから検索する。ここで、マッチングした番組とは、タイトル、人名、ジャンルの項目内容の全てを満たす番組だけでなく、その一部のみを満たす番組も含めることができる。そして、ステップＳＴ１１４で、タイマ部５０２のメモリに、検索された番組の情報（放送日時、チャネルの情報）を書き込む。
【０１４２】
なお、ステップＳＴ１１３で、抽出されたタイトル、人名、ジャンルの項目内容にマッチングした番組を検索できなかったときは、ステップＳＴ１１４で、タイマ部５０２のメモリに、番組の情報が書き込まれることはない。また、上述したステップＳＴ１１２では、最大頻度の項目内容Ｔｘ，Ｔｙのみを抽出したものであるが、最大から所定順位までの頻度の項目内容を抽出するようにしてもよい。この場合、上述したステップＳＴ１１３では、この最大から所定順位までの頻度の項目内容にマッチングした番組が検索されることとなる。例えば、タイトル、人名、ジャンルのそれぞれに関して、最大から所定順位までの頻度の項目内容のいずれかを含む番組をマッチングした番組とすることができる。
【０１４３】
次に、図２１のフローチャートは、制御部５０１における、自動録画実行の動作を示している。この自動録画実行の動作は、ユーザの操作部５０３による操作によって開始させることができ、また終了させることができる。
【０１４４】
ステップＳＴ１２１で、タイマ部５０２に格納されている番組情報（放送日時およびチャネルの情報）に対応する番組の放送時刻となったか否かを判断する。その番組の放送時刻となったときは、ステップＳＴ１２２で、アナログチューナ部５０６またはデジタルチューナ部５２１を制御してその所定番組に係るチャネルの受信状態とし、さらにステップＳＴ１２３で、記録制御部５１０または記録制御部５２５を制御して、ＶＴＲ５０９またはＨＤＤ５２４でこの所定番組の映像信号またはＭＰＥＧデータを記録する。
【０１４５】
なお、ＶＴＲ５０９またはＨＤＤ５２４で所定番組の映像信号またはＭＰＥＧデータを記録する場合に、その所定番組の映像信号またはＭＰＥＧデータに関連づけて製造番号を同時に記録する。すなわち、所定番組が上述の項目内容Ｔｘにマッチングした番組である場合には製造番号ｘを記録し、一方所定番組が上述の項目内容Ｔｙにマッチングした番組である場合には製造番号ｙを記録する。この場合、ＶＴＲ５０９で所定番組の映像信号を記録する場合には、例えばＶＴＲ５０９本体に設けられたメモリあるいはテープカセットに設けられたメモリなどに、その所定番組の記録に関連づけて製造番号の情報を記録することが考えられる。一方、ＨＤＤ５２４で所定番組のＭＰＥＧデータを記録する場合には、そのＭＰＥＧデータに付加して製造番号の情報を記録することが考えられる。
【０１４６】
次に、ステップＳＴ１２４で、ＶＴＲ５０９またはＨＤＤ５２４に、タイマ部５０２に格納されている、他の番組情報に対応する番組の内容（映像信号またはＭＰＥＧデータ）を記録し得る空き容量があるか否かを判断する。空き容量があるときは、ステップＳＴＳ１２１に戻り、タイマ部５０２に格納されている他の番組情報に対応する処理に移る。一方、空き容量がないときは、自動録画実行の動作を強制的に終了する。
【０１４７】
また、図１に示す受信装置５００においては、上述したようにＶＴＲ５０９またはＨＤＤ５２４から上述したように製造番号ｙが付されて記録された所定番組が再生される場合、基板ベイメモリ５４１に格納されている製造番号ｘの頻度分布の情報Ｄｘと製造番号ｙの頻度分布の情報Ｄｙとのマージ（合併）が行われる。
【０１４８】
図２２のフローチャートは、制御部５０１における、再生時のマージ制御動作を示している。
【０１４９】
ステップＳＴ１３１で、再生された番組が製造番号ｙが付されたものであるか否かを判断する。制御部５０１は、再生された番組に対応する製造番号の情報を、再生制御部５１１，５２６を介して得ることができる。再生された番組に製造番号ｙが付されていない場合は、マージをすることなく、マージ制御動作を終了する。
【０１５０】
一方、再生された番組に製造番号ｙが付されている場合は、ステップＳＴ１３２で、記録制御部５２５を介して基板ベイメモリ５４１を制御し、製造番号ｘの頻度分布の情報Ｄｘと製造番号ｙの頻度分布の情報Ｄｙのそれぞれの項目内容の度数を加算してマージ（合併）を行い、新たに得られた頻度分布の情報を製造番号ｘの頻度分布の情報Ｄｘとして基板ベイメモリ５４１に書き込む。このマージにより、基板ベイメモリ５４１には、頻度分布の情報として、製造番号ｘの頻度分布の情報Ｄｘのみが格納された状態となる。
【０１５１】
このように、製造番号ｙが付された番組の再生があるとき、製造番号ｘの頻度分布の情報Ｄｘと製造番号ｙの頻度分布の情報Ｄｙとのマージを行うのは、製造番号ｙが付されて記録された番組は、製造番号ｙの頻度分布の情報Ｄｙのうち、製造番号ｘの頻度分布の情報Ｄｘにない項目内容から抽出された項目内容Ｔｙにマッチングした番組であり、他の受信装置の作成に係る製造番号ｙの頻度分布の情報Ｄｙは有効であると考えるからである。
【０１５２】
このような再生時のマージにより、基板ベイメモリ５４１にユーザの好みに対応した頻度分布の情報が格納された状態をより早く実現することができ、上述した自動録画機能、自動レコメンド機能を良好に活用できるようになる。
【０１５３】
また、図１に示す受信装置５００においては、上述したように基板ベイメモリ５４１に、製造番号ｘの頻度分布の情報Ｄｘの他に、さらに製造番号ｙの頻度分布の情報Ｄｙが格納されている場合、上述した自動レコメンド実行の動作は以下のようになる。
【０１５４】
図２３のフローチャートは、制御部５０１における、自動レコメンド実行の動作を示している。この自動レコメンド実行の動作は、ユーザの操作部５０３による操作によって開始させることができ、また終了させることができる。
【０１５５】
ステップＳＴ１４１で、自動レコメンド実行時刻になったか否かを判断する。この自動レコメンド実行時刻は、例えばユーザによって、一日のうちの所定の時刻に予め設定される。そして、レコメンド実行時刻になると、ステップＳＴ１４２で、再生制御部５２６を介して、基板メモリ５４１に格納されている製造番号ｘのタイトル、人名、ジャンルの頻度分布の情報Ｄｘから、タイトル、人名、ジャンルのそれぞれにおける最大頻度の項目内容Ｔｘを抽出する。
【０１５６】
さらに、このステップＳＴ１１２で、基板メモリ５４１に格納されている製造番号ｙのタイトル、人名、ジャンルの頻度分布の情報Ｄｙから、上述の製造番号ｘのタイトル、人名、ジャンルの頻度分布の情報Ｄｘにない項目内容のうち、タイトル、人名、ジャンルのそれぞれにおける最大頻度の項目内容Ｔｙを抽出する。
【０１５７】
次に、ステップＳＴ１４３で、再生制御部５２６を介して、上述の抽出されたタイトル、人名、ジャンルの項目内容Ｔｘ，Ｔｙにそれぞれマッチングした番組を、ＨＤＤ５２４に格納されている番組表のデータから検索し、その検索された番組の情報（図１４参照）を図示しない内蔵メモリに一時的に記憶する。ここで、マッチングした番組とは、タイトル、人名、ジャンルの項目内容の全てを満たす番組だけでなく、その一部のみを満たす番組も含めることができる。
【０１５８】
なお、内蔵メモリに番組の情報を記憶する場合に、その番組の情報に関連づけて製造番号を同時に記憶する。すなわち、番組が上述の項目内容Ｔｘにマッチングした番組である場合には製造番号ｘを記憶し、一方番組が上述の項目内容Ｔｙにマッチングした番組である場合には製造番号ｙを記憶する。
【０１５９】
次に、ステップＳＴ１４４で、その検索された番組の情報を表示するための表示信号ＳＣＨを生成し、この表示信号ＳＣＨを再生制御部５２６を介して、合成部５１３，５３３に供給する。これにより、合成部５１３，５３３の出力が供給されるＣＲＴやＬＣＤ等の表示素子（図示せず）には、レコメンドすべき番組の情報が表示される。
【０１６０】
なお、ステップＳＴ１４３で、抽出されたタイトル、人名、ジャンルの項目内容にマッチングした番組を検索できなかったときは、ステップＳＴ１４４で、推奨すべき番組の情報を表示する表示信号ＳＣＨを生成して合成部５１３，５３３に供給することはなく、ＣＲＴやＬＣＤ等の表示素子には、レコメンドすべき番組の情報は表示されない。なおこの場合、レコメンドすべき番組がない旨を表示するための表示信号ＳＣＨを生成し、この表示信号ＳＣＨを合成部５１３，５３３に供給し、ＣＲＴやＬＣＤ等の表示素子にレコメンドすべき番組がない旨を表示するようにしてもよい。
【０１６１】
また、上述したステップＳＴ１４２では、最大頻度の項目内容のみを抽出したものであるが、最大から所定順位までの頻度の項目内容を抽出するようにしてもよい。この場合、上述したステップＳＴ１４３では、この最大から所定順位までの頻度の項目内容にマッチングした番組が検索されることとなる。例えば、タイトル、人名、ジャンルのそれぞれに関しては最大から所定順位までの頻度の項目内容のいずれかを含む番組をマッチングした番組とすることができる。
【０１６２】
また、図１に示す受信装置５００においては、上述したようにＣＲＴやＬＣＤ等の表示素子に表示されたレコメンドすべき番組のうち、製造番号ｙが付された番組が録画予約される場合、基板ベイメモリ５４１に格納されている製造番号ｘの頻度分布の情報Ｄｘと製造番号ｙの頻度分布の情報Ｄｙとのマージ（合併）が行われる。
【０１６３】
図２４のフローチャートは、制御部５０１における、録画予約時のマージ制御動作を示している。
ステップＳＴ１５１で、録画予約された番組が製造番号ｙが付された番組か否かを判断する。制御部５０１は、上述した図２３のフローチャートのステップＳＴ１４３で、推奨すべき番組の情報に関連づけて内蔵メモリに記憶された製造番号の情報に基づいて判断する。録画予約された番組が製造番号ｙが付されたものでない場合は、マージをすることなく、マージ制御動作を終了する。
【０１６４】
一方、録画予約された番組が製造番号ｙが付されたものである場合は、ステップＳＴ１５２で、記録制御部５２５を介して基板ベイメモリ５４１を制御し、製造番号ｘの頻度分布の情報Ｄｘと製造番号ｙの頻度分布の情報Ｄｙのそれぞれの項目内容の度数を加算してマージ（合併）を行い、新たに得られた頻度分布の情報を製造番号ｘの頻度分布の情報Ｄｘとして基板ベイメモリ５４１に書き込む。このマージにより、基板ベイメモリ５４１には、頻度分布の情報として、製造番号ｘの頻度分布の情報Ｄｘのみが格納された状態となる。
【０１６５】
このように、製造番号ｙが付された番組の録画予約があるとき、製造番号ｘの頻度分布の情報Ｄｘと製造番号ｙの頻度分布の情報Ｄｙとのマージを行うのは、製造番号ｙが付された番組は、製造番号ｙの頻度分布の情報Ｄｙのうち、製造番号ｘの頻度分布の情報Ｄｘにない項目内容から抽出された項目内容Ｔｙにマッチングした番組であり、他の受信装置の作成に係る製造番号ｙの頻度分布の情報Ｄｙは有効であると考えるからである。
【０１６６】
このような録画予約時のマージにより、上述した再生時のマージと同様に、基板ベイメモリ５４１にユーザの好みに対応した頻度分布の情報が格納された状態をより早く実現することができ、上述した自動録画機能、自動レコメンド機能を良好に活用できるようになる。
【０１６７】
なお、上述では、ＣＲＴやＬＣＤ等の表示素子に表示されたレコメンドすべき番組が録画予約される場合のマージ制御動作について述べたが、ＣＲＴやＬＣＤ等の表示素子に表示されたレコメンドすべき番組が受信予約される場合も同様のマージ制御を行うことができ、同様の効果を得ることができる。
【０１６８】
なお、上述したデータ収集装置７００では、他の基板ベイメモリ６０４-1〜６０４-nに格納されている頻度分布の情報Ｄｙ1〜Ｄｙnのうち、基板ベイメモリ５４１に格納されている頻度分布の情報Ｄｘとのマッチ度が最大となる頻度分布の情報Ｄｙを取得し、基板ベイメモリ５４１に、この頻度分布の情報Ｄｙを、頻度分布の情報Ｄｘと共に格納するものを示したが、頻度分布の情報Ｄｙ1〜Ｄｙnのうち、基板ベイメモリ５４１に格納されている頻度分布の情報Ｄｘとのマッチ度が最小となる頻度分布の情報Ｄｙを取得し、基板ベイメモリ５４１に、この頻度分布の情報Ｄｙを、頻度分布の情報Ｄｘと共に格納することも考えられる。
【０１６９】
そしてこの場合、自動録画機能（図１９、図２１のフローチャート参照）によって録画された番組が再生される際にその番組が製造番号ｙの付された番組でないとき、また自動レコメンド機能（図２３のフローチャート参照）によってＣＲＴやＬＣＤに表示されている番組から受信予約された番組または録画予約された番組が製造番号ｙの付された番組でないとき、基板ベイメモリ５４１に格納されている製造番号ｘの頻度分布の情報Ｄｘの項目内容から、製造番号ｙの頻度分布の情報Ｄｙに含まれる項目内容を除去して新たな頻度分布の情報を得、この新たに得られた頻度分布の情報のみを、製造番号ｘの頻度分布の情報Ｄｘとして基板ベイメモリ５４１に書き込むことができる。
【０１７０】
このように、製造番号ｙが付された番組の再生でないとき、製造番号ｙが付された番組の録画予約あるいは受信予約でないとき、基板ベイメモリ５４１に格納されている製造番号ｘの頻度分布の情報Ｄｘの項目内容から、製造番号ｙの頻度分布の情報Ｄｙに含まれる項目内容を除去して新たな頻度分布の情報を得るのは、製造番号ｙが付された番組は、製造番号ｙの頻度分布の情報Ｄｙのうち、製造番号ｘの頻度分布の情報Ｄｘにない項目内容から抽出された項目内容Ｔｙにマッチングした番組であり、他の受信装置の作成に係る製造番号ｙの頻度分布の情報Ｄｙは有効でないと考えるからである。
【０１７１】
また、データ収集装置７００では、基板ベイメモリ５４１に格納されている頻度分布の情報Ｄｘおよび他の基板ベイメモリ７０４-1〜７０４-nに格納されている頻度分布の情報Ｄｙ1〜Ｄｙnを平均し、あるいは加算して新たな頻度分布を取得し、この新たな頻度分布の情報を、基板ベイメモリ５４１に、製造番号ｙの頻度分布の情報Ｄｙとして、製造番号ｘの頻度分布の情報Ｄｘと共に格納することも考えられる。
【０１７２】
そしてこの場合、自動録画機能（図１９、図２１のフローチャート参照）によって録画された番組が再生される際にその番組が製造番号ｙの付された番組であるとき、また自動レコメンド機能（図２３のフローチャート参照）によってＣＲＴやＬＣＤに表示されている番組から受信予約された番組または録画予約された番組が製造番号ｙの付された番組であるとき、基板ベイメモリ５４１に格納されている製造番号ｙの頻度分布の情報Ｄｙのみを、製造番号ｘの頻度分布の情報Ｄｘとして基板ベイメモリ５４１に書き込むことができる。
【０１７３】
このように、製造番号ｙが付された番組の再生であるとき、製造番号ｙが付された番組の録画予約あるいは受信予約であるとき、基板ベイメモリ５４１に格納されている製造番号ｙの頻度分布の情報Ｄｙを新たな製造番号ｘの頻度分布の情報Ｄｘとするのは、上述したように頻度分布の情報Ｄｘおよび頻度分布の情報Ｄｙ1〜Ｄｙnを平均し、あるいは加算して作成した製造番号ｙの頻度分布の情報Ｄｙは有効であると考えるからである。
【０１７４】
なお、上述したようにデータ収集装置７００で、基板ベイメモリ５４１に格納されている頻度分布の情報Ｄｘおよび他の基板ベイメモリ７０４-1〜７０４-nに格納されている頻度分布の情報Ｄｙ1〜Ｄｙnを平均し、あるいは加算して頻度分布の情報Ｄｙを得る場合に、これら情報Ｄｘ，Ｄｙ1〜Ｄｙnのそれぞれに対して、情報Ｄｘ，Ｄｙ1〜Ｄｙn情報Ｄｘとのマッチ度を演算し、この演算されたマッチ度に基づいて情報Ｄｘ，Ｄｙ1〜Ｄｙnのそれぞれに重み付けを行ってもよい。
【０１７５】
上述したように図１に示す受信装置５００においては、ユーザの操作部５０３の操作によってアナログチューナ部５０６で受信された番組、あるいはＶＴＲ５０９で再生された番組に係る付加データＡＩ１が、ＹＣ分離制御部５１２からログ記録制御部５４２に供給される。また、ユーザの操作部５０３の操作によってデジタルチューナ部５２１で受信された番組に係る付加データＡＩ２が記録制御部５２５からログ記録制御部５４２に供給される。また、ユーザの操作部５０３の操作によって録画予約された番組に係る付加データＡＩ２が記録制御部５２５からログ記録制御部５４２に供給される。さらに、ユーザの操作部５０３の操作によってＤＶＤ再生部５３１で再生されるコンテンツに係る付加データＡＩ３が再生制御部５３２からログ記録制御部５４２に供給される。
【０１７６】
そして、ログ記録制御部５４２では、付加情報ＡＩ１〜ＡＩ３がそれぞれ供給される毎に、タイトル、人名、ジャンルの頻度分布の情報が修正され、修正された新たな頻度分布の情報が基板ベイメモリ５４１に記憶される。したがって、基板ベイメモリ５４１格納されるタイトル、人名、ジャンルの頻度分布の情報は、受信装置５００を使用するに従って、ユーザの好みを反映したものとなっていく。
【０１７７】
この場合、ユーザの操作部５０３の操作で番組を選択する際に、ユーザにとってチャネル切り換え回数が小さいほど重要度が高いであろうとの仮定に基づき、その番組の選択に至るまでのチャネルの切り換え回数が少ないほど、大きな重み付けがなされる。また、ユーザにとって当日より前の予約あるいは週間予約に係る番組の方が当日予約の番組より重要度が高いであろうとの仮定に基づき、当日より前の予約あるいは週間予約の方が当日予約より大きな重み付けがなされる。さらに、ユーザにとって早送り時間が短いほど、また巻き戻し時間が長いほど、重要度が高いであろうとの仮定に基づき、早送り時間が短いほど、また巻き戻し時間が長いほど、大きな重み付けがなされる。このように重み付けをすることで、基板ベイメモリ５４１に格納されるタイトル、人名、ジャンルの頻度分布の情報を、よりユーザの好みを反映させたものとすることができる。
【０１７８】
また、受信装置５００においては、自動録画機能を持っており、ユーザが操作部５０３の操作により自動録画機能の動作（自動録画設定の動作および自動録画実行の動作）を有効とすると、自動録画設定時刻毎に、基板ベイメモリ５４１に格納されているタイトル、人名、ジャンルの頻度分布の情報に基づいて、ＨＤＤ５２４に格納されている番組表から録画予約すべき所定番組が検索され、この所定番組の録画予約が行われ、この所定番組の放送日時に自動的に録画が行われる。
【０１７９】
この場合、録画予約すべき所定番組は、基板ベイメモリ５４１に格納されているタイトル、人名、ジャンルの頻度分布の情報に基づいて決定されるため、ユーザの好みに合ったものとなる。したがって、ユーザが操作部５０３からの放送日時、チャネル等の入力によるユーザの好みの所定番組の録画予約を忘れている場合であっても、その所定番組が自動録画される可能性がおおいにあり、ユーザにとって有効なものとなる。
【０１８０】
また、受信装置５００においては、自動レコメンド機能を持っており、ユーザが操作部５０３の操作により自動レコメンド機能の動作（自動レコメンド実行の動作）を有効とすると、自動レコメンド実行時刻毎に、基板ベイメモリ５４１に格納されているタイトル、人名、ジャンルの頻度分布の情報に基づいて、ＨＤＤ５２４に格納されている番組表からレコメンドすべき所定番組が検索され、この所定番組の情報を表示するための表示信号ＳＣＨが合成部５１３，５３３で色信号Ｒ，Ｇ，Ｂに合成される。これにより、ＣＲＴやＬＣＤ等の表示素子に、レコメンドすべき所定番組が表示される。
【０１８１】
この場合、レコメンドすべき所定番組は、基板ベイメモリ５４１に格納されているタイトル、人名、ジャンルの頻度分布の情報に基づいて決定されるため、ユーザの好みに合ったものとなる。したがって、ユーザが新聞等の番組表、あるいはＣＲＴやＬＣＤ等の表示素子に表示される番組表などで好みの所定番組をチェックできなかった場合、その所定番組をレコメンドしてくれる可能性がおおいにあり、ユーザにとって有効なものとなる。
【０１８２】
また、受信装置５００においては、基板ベイメモリ５４１に、ログ記録制御部５４２で作成された頻度分布の情報（製造番号ｘの頻度分布の情報Ｄｘ）の他に、例えば図１７に示すようなデータ収集装置７００により、他の受信装置の基板ベイメモリに格納されている頻度分布の情報を用いて作成された頻度分布の情報（製造番号ｙの頻度分布の情報Ｄｙ）を格納できる。
【０１８３】
このように格納された製造番号ｘ，ｙの頻度分布の情報Ｄｘ，Ｄｙに基づいて、自動録画予約や自動レコメンドが実行される。そして、自動録画された番組のうち再生された番組、自動レコメンドされた番組のうち録画予約や受信予約がされた番組に基づいて、情報Ｄｘ，Ｄｙが加算（パージ）されて新たな頻度分布が作成され、あるいは情報Ｄｘから情報Ｄｙに含まれる項目内容が削除されて新たな頻度分布の情報が作成され、また情報Ｄｘに代わって情報Ｄｙが新たな頻度分布として選択される。
【０１８４】
これにより、基板ベイメモリ５４１に、ユーザの好みに対応した頻度分布の情報が格納された状態をより早く実現でき、ユーザは上述した自動録画機能、自動レコメンド機能を良好に活用できるようになる。
【０１８５】
なお、図１に示す受信装置５００においては，ＨＤＤ５２４でチャネルデコーダ５２２から出力されるＭＰＥＧデータを記録するものを示したが、この発明は、この放送データとしてのＭＰＥＧデータを復号して得られる画像データとしてのＲ，Ｇ，Ｂのデータを記録するものにも同様に適用できる。その場合、ＨＤＤ５２４からの再生データは、再生制御部５２６を介して直接合成部５３３に供給されることになる。
【０１８６】
また、図１に示す受信装置５００においては、基板ベイメモリ５４１にタイトル、人名、ジャンルの全ての頻度分布の情報を格納しておき、それらを全て利用するものであったが、基板ベイメモリ５４１にタイトル、人名、ジャンルの一部の頻度分布の情報を格納しておき、それを利用するものであってもよい。また、基板ベイメモリ５４１に格納される頻度分布の情報は、タイトル、人名、ジャンルに係るものに限定されるものではなく、それ以外の情報、チャネル、放送日時などの頻度分布の情報を格納しておいて利用することもできる。
【０１８７】
【発明の効果】
この発明によれば、処理手段によって処理されるコンテンツデータに対応する付加情報の分析結果に基づいて処理手段を制御するものであり、ユーザの嗜好に合わせた処理が可能となる。
【０１８８】
また、この発明によれば、分析結果としてタイトル、人名、ジャンルなどの頻度分布を作成する際に、項目内容にユーザの重要度に対応した重み付けを行うものであり、記憶手段に記憶される頻度分布の情報を、よりユーザの好みを反映させたものとすることが可能となる。
【０１８９】
また、この発明によれば、分析手段により分析されて得られた第１の分析結果と共に、他の処理手段によって処理されるコンテンツデータに対応する付加情報を分析して得られた第２の分析結果を記憶手段に記憶し、あるいは処理手段によって処理されるコンテンツデータに対応する付加情報を分析した分析結果に代えて、この分析結果と他の処理手段によって処理されるコンテンツデータに対応する付加情報を分析した分析結果とに基づいて生成された新たな分析結果を記憶手段に記憶し、この第１の分析結果および第２の分析結果、あるいは新たな分析結果に基づいて処理手段を制御する構成とするものであり、他の処理手段によって処理されるコンテンツデータに対応する付加情報の分析結果を有効に利用することが可能となる。
【０１９０】
また、この発明によれば、表示素子に推奨すべきコンテンツデータとしてその情報が表示されているコンテンツデータのうち一のコンテンツデータを選択する選択部を有し、第１の分析結果および第２の分析結果が記憶手段に記憶されているとき、選択部で選択されるコンテンツデータが第２の分析結果だけに関係するコンテンツデータであるか否かを判別し、この判別結果に基づいて、第１の分析結果と第２の分析結果とから新たな分析結果を作成して記憶手段に記憶するものである。またこの発明によれば、記録予約すべきコンテンツデータとして決定され、そのコンテンツデータが記録されている記録部から所定のコンテンツデータを再生する再生部を有し、上述したように第１の分析結果および第２の分析結果が記憶手段に記憶されているとき、再生部で再生されるコンテンツデータが第２の分析結果だけに関係するコンテンツデータであるか否かを判別し、この判別結果に基づいて、第１の分析結果と第２の分析結果とから新たな分析結果を作成して記憶手段に記憶するものである。従って、記憶手段に、ユーザの好みに対応した頻度分布の情報が格納された状態をより早く実現することが可能となる。
【０１９１】
また、この発明によれば、分析結果が記憶される記憶手段を装脱可能なメモリ手段とすることで、この記憶手段に他の分析結果をさらに格納したり、この記憶手段に格納された分析結果を他のコンテンツデータ処理装置で利用することが容易となる。
【０１９２】
また、この発明によれば、制御手段は、記憶手段に記憶される分析結果に代えて、他の記憶手段に記憶される分析結果に基づいて処理手段を制御するものであり、分析手段による分析結果が記憶される記憶手段の内容が他の記憶手段に移される場合等にあっては、制御手段は、当該他の記憶手段に格納される分析結果に基づいて、処理手段を同様に制御できる。
【０１９３】
また、この発明によれば、記憶部に記憶される頻度分布の情報に基づいて録画予約すべき所定番組を決定し、当該番組を自動的に録画するものである。したがって、ユーザが放送日時、チャネル等の入力によるユーザの好みの所定番組の録画予約を忘れている場合であっても、その所定番組が自動録画される可能性がおおいにあり、ユーザにとって有効なものとなる。
【０１９４】
また、この発明によれば、記憶部に記憶される頻度分布の情報に基づいて推奨すべき所定番組を決定し、当該番組の情報を表示素子に表示するものである。したがって、ユーザが新聞等の番組表、あるいはＣＲＴやＬＣＤ等の表示素子に表示される番組表などで好みの所定番組をチェックできなかった場合、その所定番組をレコメンドしてくれる可能性がおおいにあり、ユーザにとって有効なものとなる。
【０１９５】
また、この発明によれば、１個または２個以上の第２のメモリにそれぞれ記憶されている１個または２個以上の分析結果から所定の分析結果を選択し、あるいは新たな分析結果を得て、これを第１のメモリあるいはこの第１のメモリとは異なるメモリに、第１の分析結果と共に記憶するものであり、第２のメモリに記憶されている分析結果を有効に利用することが可能となる。
【図面の簡単な説明】
【図１】実施の形態としての受信装置の構成を示すブロック図である。
【図２】ＹＣ分離制御部の構成を示すブロック図である。
【図３】再生制御部の構成を示すブロック図である。
【図４】ログ記録制御部の構成を示すブロック図である。
【図５】放送番組視聴時におけるＹＣ分離制御部の動作を説明するためのフローチャートである。
【図６】録画予約時における制御部の動作を説明するためのフローチャートである。
【図７】ＤＶＤ再生時における再生制御部の動作を説明するためのフローチャートである。
【図８】ログ記録制御部の動作を説明するためのフローチャートである。
【図９】番組視聴時の重み付けを求める処理を説明するためのフローチャートである。
【図１０】録画予約時の重み付けを求める処理を説明するためのフローチャートである。
【図１１】ＤＶＤ再生時の重み付けを求める処理を説明するためのフローチャートである。
【図１２】自動録が設定の動作を説明するためのフローチャートである。
【図１３】基板ベイメモリに格納されている頻度分布の情報の一例を示す図である。
【図１４】基板ベイメモリに格納されている頻度分布の情報に基づいて検索された番組の情報例を示す図である。
【図１５】自動録画実行の動作を説明するためのフローチャートである。
【図１６】自動レコメンド実行の動作を説明するためのフローチャートである。
【図１７】基板ベイメモリのデータ収集装置の構成を示すブロック図である。
【図１８】比較選択部の構成を示すブロック図である。
【図１９】自動録画設定の動作を説明するためのフローチャートである。
【図２０】項目内容Ｔｙの選択範囲を示す図である。
【図２１】自動録画実行の動作を説明するためのフローチャートである。
【図２２】再生時のマージ制御動作を説明するためのフローチャートである。
【図２３】自動レコメンド実行の動作を説明するためのフローチャートである。
【図２４】録画予約時のマージ制御動作を説明するためのフローチャートである。
【符号の説明】
５００・・・受信装置、５０１・・・制御部、５０２・・・タイマ部、５０３・・・操作部、５０４・・・受信アンテナ、５０５，５０８，５２３・・・セレクタ、５０６・・・アナログチューナ部、５０７・・・復調部、５０９・・・ＶＴＲ、５１０，５２５・・・記録制御部、５１１，５２６，５３２・・・再生制御部、５１２・・・ＹＣ分離制御部、５１３，５３３・・・合成部、５２１・・・デジタルチューナ部、５２２・・・チャネルデコーダ、５２４・・・ＨＤＤ、５２７・・・ＭＰＥＧデコーダ、５３１・・・ＤＶＤ再生部、５４１・・・基板ベイメモリ、５４２・・・ログ記録制御部、７００・・・基板ベイメモリのデータ収集装置、７０１，７０５-1〜７０５-n，７０７・・・データ読み出し部、７０２，７０６-1〜７０６-n，７０９・・・データ書き込み部、７０３・・・蓄積部、７０４-1〜７０４-n・・・他の基板ベイメモリ、７０８・・・比較選択部
【図１】
0003818164.tif 000002
【図２】
0003818164.tif 000003
【図３】
0003818164.tif 000004
【図４】
0003818164.tif 000005
【図５】
0003818164.tif 000006
【図６】
0003818164.tif 000007
【図７】
0003818164.tif 000008
【図８】
0003818164.tif 000009
【図９】
0003818164.tif 000010
【図１０】
0003818164.tif 000011
【図１１】
0003818164.tif 000012
【図１２】
0003818164.tif 000013
【図１３】
0003818164.tif 000014
【図１４】
0003818164.tif 000015
【図１５】
0003818164.tif 000016
【図１６】
0003818164.tif 000017
【図１７】
0003818164.tif 000018
【図１８】
0003818164.tif 000019
【図１９】
0003818164.tif 000020
【図２０】
0003818164.tif 000021
【図２１】
0003818164.tif 000022
【図２２】
0003818164.tif 000023
【図２３】
0003818164.tif 000024
【図２４】
0003818164.tif 000025